(57)【特許請求の範囲】
【請求項１】
アラーム情報を処理する方法であって、
要素管理システム（ＥＭＳ）によって、仮想化されたネットワーク機能マネージャ（ＶＮＦＭ）によって報告された第１のアラームメッセージを受信することであって、前記第１のアラームメッセージは第１のアラーム関連付け情報および第１のアラーム情報セットを含み、前記第１のアラーム関連付け情報は、第１のオブジェクト識別、またはオブジェクト識別の間のプリセットされた関連付けのうちの少なくとも１つを含む、前記第１のアラームメッセージを受信することと、
前記ＥＭＳによって、仮想化されたネットワーク機能（ＶＮＦ）によって報告された第２のアラームメッセージを受信することであって、前記第２のアラームメッセージは第２のアラーム関連付け情報および第２のアラーム情報セットを含み、前記第２のアラーム関連付け情報は、第２のオブジェクト識別、または前記オブジェクト識別の間のプリセットされた関連付けのうちの少なくとも１つを含む、前記第２のアラームメッセージを受信することと、
前記ＥＭＳによって前記第１のアラームメッセージおよび前記第２のアラームメッセージに対する相関分析を、前記第１のアラーム関連付け情報および前記第２のアラーム関連付け情報に従って実行することと
を含み、
前記ＥＭＳによって、前記第１のアラームメッセージおよび前記第２のアラームメッセージに対する相関分析を、前記第１のアラーム関連付け情報および前記第２のアラーム関連付け情報に従って実行することは、
前記第１のアラーム情報セットおよび前記第２のアラーム情報セットから、前記第１のアラーム関連付け情報および前記第２のアラーム関連付け情報に従って、同じアラーム関連付け情報を有するアラーム情報を獲得し、プリセットされた相関則に従って、前記同じアラーム関連付け情報を有する前記獲得されたアラーム情報に対する相関分析を実行すること、または、
第３のアラーム情報セットを、前記第１のアラーム情報セットおよび前記第２のアラーム情報セットから、前記オブジェクト識別の間のプリセットされた関連付け、前記第１のオブジェクト識別、および前記第２のオブジェクト識別に従って獲得し、前記第３のアラーム情報セットはオブジェクト識別が関連付けられたアラーム情報を含み、さらに前記第３のアラーム情報セットに対する相関分析をプリセットされた相関則に従って実行すること
を含む、アラーム情報を処理する方法。
【請求項２】
前記第１のオブジェクト識別は、ＶＮＦ識別、仮想マシン（ＶＭ）識別、またはＶＭの仮想伝送リソース識別のうちの少なくとも１つを含み、
前記第２のオブジェクト識別は、ＶＮＦ識別、ＶＭ識別、またはＶＭの仮想伝送リソース識別のうちの少なくとも１つを含み、
前記オブジェクト識別の間のプリセットされた関連付けは、異なるオブジェクト識別の間の関連付けを示すために使用され、
前記ＶＮＦ識別はＶＮＦ識別子（ＩＤ）またはＶＮＦ名を含み、前記ＶＭ識別はＶＭ  ＩＤまたはＶＭ名を含み、前記仮想伝送リソース識別は仮想伝送リソースＩＤまたは仮想伝送リソース名を含む、請求項１に記載の方法。
【請求項３】
前記第１のアラーム情報セットは、ＮＦＶＩアラーム情報、ＶＭアラーム情報、またはＶＮＦＭアラーム情報のうちの少なくとも１つを含む、請求項１または２に記載の方法。
【請求項４】
前記第２のアラーム情報セットは少なくとも１つのＶＮＦアラーム情報を含む、請求項１乃至３のいずれか一項に記載の方法。
【請求項５】
前記ＶＮＦＭによって、仮想化されたインフラストラクチャマネージャ（ＶＩＭ）によって報告された仮想マシン（ＶＭ）アラーム情報を受信することであって、前記ＶＭアラーム情報は第３のオブジェクト識別を含む、前記ＶＭアラーム情報を受信することと、
前記ＶＮＦＭによって前記第１のアラームメッセージを前記ＶＭアラーム情報に従って生成することであって、前記第１のアラームメッセージは第１のアラーム関連付け情報を含み、前記第１のアラーム関連付け情報は、第１のオブジェクト識別、またはオブジェクト識別の間のプリセットされた関連付けのうちの少なくとも１つを含む、前記第１のアラームメッセージを生成することと、
前記ＶＮＦＭによって前記第１のアラームメッセージを前記ＥＭＳに送信することと
を含む、請求項１乃至４のいずれか一項に記載の方法。
【請求項６】
前記第３のオブジェクト識別は、ＶＭ識別、ＮＦＶＩインフラストラクチャ層におけるＨＯＳＴ識別、またはＶＭの仮想伝送リソース識別のうちの少なくとも１つを含み、
前記ＶＭ識別はＶＭ識別子（ＩＤ）またはＶＭ名を含み、前記ＨＯＳＴ識別はＨＯＳＴ  ＩＤまたはＨＯＳＴ名を含み、ＶＭの前記仮想伝送リソース識別は仮想伝送リソースＩＤまたは仮想伝送リソース名を含む、請求項５に記載の方法。
【請求項７】
前記第１のオブジェクト識別は、ＶＮＦ識別、ＶＭ識別、またはＶＭの仮想伝送リソース識別のうちの少なくとも１つを含み、
オブジェクト識別の間の前記プリセットされた関連付けは、異なるオブジェクト識別の間の関連付けを示すために使用される、請求項５または６に記載の方法。
【請求項８】
前記第１のアラームメッセージは第１のアラーム情報セットをさらに含み、前記第１のアラーム情報セットは、ＮＦＶＩアラーム情報、ＶＭアラーム情報、またはＶＮＦＭアラーム情報のうちの少なくとも１つを含む、請求項５乃至７のいずれか一項に記載の方法。
【請求項９】
前記ＶＮＦＭによって第１のアラームメッセージを前記ＶＭアラーム情報に従って生成する前記ことは、
前記第３のオブジェクト識別とＶＮＦ識別との間のプリセットされた対応関係、および前記ＶＭアラーム情報内の前記第３のオブジェクト識別に従って、前記第３のオブジェクト識別に対応するＶＮＦ識別を取得し、前記取得されたＶＮＦ識別を前記第１のオブジェクト識別として使用し、前記第１のアラームメッセージを生成すること、または、
前記ＶＭアラーム情報に対する相関分析を実行し、前記第１のアラームメッセージを生成すること
を含む、請求項５乃至８のいずれか一項に記載の方法。
【請求項１０】
仮想化されたインフラストラクチャマネージャ（ＶＩＭ）によって、少なくとも２つのアラーム情報に対する相関分析を実行し、仮想マシン（ＶＭ）アラーム情報を生成することと、
前記ＶＩＭによって、前記生成されたＶＭアラーム情報を前記ＶＮＦＭに報告することであって、前記ＶＭアラーム情報は、前記ＶＮＦＭが前記第１のアラームメッセージを前記ＥＭＳに報告するために使用され、前記ＥＭＳは、前記第１のアラームメッセージおよびＶＮＦによって報告された第２のアラームメッセージに対する相関分析を実行する、報告することと
を含む、請求項１乃至９のいずれか一項に記載の方法。
【請求項１１】
アラーム情報を処理する装置であって、前記装置は要素管理システム（ＥＭＳ）であり、
仮想化されたネットワーク機能マネージャ（ＶＮＦＭ）によって報告された第１のアラームメッセージを受信するように構成された第１の受信ユニットであって、前記第１のアラームメッセージは第１のアラーム関連付け情報および第１のアラーム情報セットを含み、前記第１のアラーム関連付け情報は、第１のオブジェクト識別、またはオブジェクト識別の間のプリセットされた関連付けのうちの少なくとも１つを含む、第１の受信ユニットと、
仮想化されたネットワーク機能（ＶＮＦ）によって報告された第２のアラームメッセージを受信するように構成された第２の受信ユニットであって、前記第２のアラームメッセージは第２のアラーム関連付け情報および第２のアラーム情報セットを含み、前記第２のアラーム関連付け情報は、第２のオブジェクト識別、またはオブジェクト識別の間の前記プリセットされた関連付けのうちの少なくとも１つを含む、第２の受信ユニットと、
前記第１のアラーム関連付け情報および前記第２のアラーム関連付け情報に従って、前記第１の受信ユニットによって受信された前記第１のアラームメッセージ、および前記第２の受信ユニットによって受信された前記第２のアラームメッセージに対する相関分析を実行するように構成された処理ユニットと
を備え、前記処理ユニットは、
前記第１のアラーム情報セットおよび前記第２のアラーム情報セットから、前記第１のアラーム関連付け情報および前記第２のアラーム関連付け情報に従って、同じアラーム関連付け情報を有するアラーム情報を獲得し、プリセットされた相関則に従って、前記同じアラーム関連付け情報を有する前記獲得されたアラーム情報に対する相関分析を実行すること、または、
第３のアラーム情報セットを、前記第１のアラーム情報セットおよび前記第２のアラーム情報セットから、前記オブジェクト識別の間のプリセットされた関連付け、前記第１のオブジェクト識別、および前記第２のオブジェクト識別に従って獲得し、前記第３のアラーム情報セットはオブジェクト識別が関連付けられたアラーム情報を含み、さらに前記第３のアラーム情報セットに対する相関分析を、プリセットされた相関則に従って実行すること
を行うように具体的に構成される、アラーム情報を処理する装置。
【請求項１２】
前記第１のオブジェクト識別は、ＶＮＦ識別、仮想マシン（ＶＭ）識別、またはＶＭの仮想伝送リソース識別のうちの少なくとも１つを含み、
前記第２のオブジェクト識別は、ＶＮＦ識別、ＶＭ識別、またはＶＭの仮想伝送リソース識別のうちの少なくとも１つを含み、
オブジェクト識別の間の前記プリセットされた関連付けは、異なるオブジェクト識別の間の関連付けを示すために使用され、
前記ＶＮＦ識別はＶＮＦ識別子（ＩＤ）またはＶＮＦ名を含み、前記ＶＭ識別はＶＭ  ＩＤまたはＶＭ名を含み、前記仮想伝送リソース識別は仮想伝送リソースＩＤまたは仮想伝送リソース名を含む、請求項１１に記載の装置。
【請求項１３】
前記第１のアラーム情報セットは、ＮＦＶＩアラーム情報、ＶＭアラーム情報、またはＶＮＦＭアラーム情報のうちの少なくとも１つを含む、請求項１１または１２に記載の装置。
【請求項１４】
前記第２のアラーム情報セットは少なくとも１つのＶＮＦアラーム情報を含む、請求項１１に記載の装置。
【請求項１５】
アラーム情報処理装置であって、前記装置は要素管理システム（ＥＭＳ）であり、プロセッサ、第１の通信インターフェース、および第２の通信インターフェースを備え、
前記第１の通信インターフェースは、仮想化されたネットワーク機能マネージャ（ＶＮＦＭ）によって報告された第１のアラームメッセージを受信するように構成され、前記第１のアラームメッセージは第１のアラーム関連付け情報および第１のアラーム情報セットを含み、前記第１のアラーム関連付け情報は、第１のオブジェクト識別、またはオブジェクト識別の間のプリセットされた関連付けのうちの少なくとも１つを含み、
前記第２の通信インターフェースは、仮想化されたネットワーク機能（ＶＮＦ）によって報告された第２のアラームメッセージを受信するように構成され、前記第２のアラームメッセージは第２のアラーム関連付け情報および第２のアラーム情報セットを含み、前記第２のアラーム関連付け情報は、第２のオブジェクト識別、またはオブジェクト識別の間の前記プリセットされた関連付けのうちの少なくとも１つを含み、
前記プロセッサは、前記第１のアラーム関連付け情報および前記第２のアラーム関連付け情報に従って、前記第１の通信インターフェースによって受信された前記第１のアラームメッセージおよび前記第２の通信インターフェースによって受信された前記第２のアラームメッセージに対する相関分析を実行するように構成され、
前記プロセッサは、
前記第１のアラーム情報セットおよび前記第２のアラーム情報セットから、前記第１のアラーム関連付け情報および前記第２のアラーム関連付け情報に従って、同じアラーム関連付け情報を有するアラーム情報を獲得し、プリセットされた相関則に従って、前記同じアラーム関連付け情報を有する前記獲得されたアラーム情報に対する相関分析を実行すること、または、
第３のアラーム情報セットを、前記第１のアラーム情報セットおよび前記第２のアラーム情報セットから、前記オブジェクト識別の間のプリセットされた関連付け、前記第１のオブジェクト識別、および前記第２のオブジェクト識別に従って獲得し、前記第３のアラーム情報セットはオブジェクト識別が関連付けられたアラーム情報を含み、さらに前記第３のアラーム情報セットに対する相関分析を、プリセットされた相関則に従って実行すること
を行うように具体的に構成される、アラーム情報処理装置。
【請求項１６】
前記第１のオブジェクト識別は、ＶＮＦ識別、仮想マシン（ＶＭ）識別、またはＶＭの仮想伝送リソース識別のうちの少なくとも１つを含み、
前記第２のオブジェクト識別は、ＶＮＦ識別、ＶＭ識別、またはＶＭの仮想伝送リソース識別のうちの少なくとも１つを含み、
オブジェクト識別の間の前記プリセットされた関連付けは、異なるオブジェクト識別の間の関連付けを示すために使用され、
前記ＶＮＦ識別は、ＶＮＦ識別子（ＩＤ）またはＶＮＦ名を含み、前記ＶＭ識別はＶＭ  ＩＤまたはＶＭ名を含み、前記仮想伝送リソース識別は仮想伝送リソースＩＤまたは仮想伝送リソース名を含む、請求項１５に記載の装置。
【請求項１７】
前記第１のアラーム情報セットは、ＮＦＶＩアラーム情報、ＶＭアラーム情報、またはＶＮＦＭアラーム情報のうちの少なくとも１つを含む、請求項１５または１６に記載の装置。
【請求項１８】
前記第２のアラーム情報セットは、少なくとも１つのＶＮＦアラーム情報を含む、請求項１５乃至１７のいずれか一項に記載の装置。
【発明の詳細な説明】
【技術分野】
【０００１】
本発明の実施形態は通信分野に関し、詳細には、アラーム情報を処理する方法、関連デバイス、およびシステムに関する。
【背景技術】
【０００２】
ＮＦＶ（Ｎｅｔｗｏｒｋ  Ｆｕｎｃｔｉｏｎ  Ｖｉｒｔｕａｌｉｚａｔｉｏｎ、ネットワーク機能仮想化）システムの適用シナリオにおいて、伝統的なネットワークおよびネットワークノードのアーキテクチャは、著しく変化する。新しいネットワークアーキテクチャにおける伝統的な物理テレコミュニケーションノードに関して、物理ノードは仮想ノードに進化する。ＮＦＶシステム標準において定義されるネットワークアーキテクチャは、ＮＦＶＩ（Ｎｅｔｗｏｒｋ  Ｆｕｎｃｔｉｏｎ  Ｖｉｒｔｕａｌｉｚａｔｉｏｎ  Ｉｎｆｒａｓｔｒｕｃｔｕｒｅ、ネットワーク機能仮想化インフラストラクチャ）、ＶＩＭ（Ｖｉｒｔｕａｌｉｚｅｄ  Ｉｎｆｒａｓｔｒｕｃｔｕｒｅ  Ｍａｎａｇｅｒ、仮想化されたインフラストラクチャマネージャ）、ＶＮＦＭ（Ｖｉｒｔｕａｌｉｚｅｄ  Ｎｅｔｗｏｒｋ  Ｆｕｎｃｔｉｏｎ  Ｍａｎａｇｅｒ、仮想化されたネットワーク機能マネージャ）、およびＮＦＶＯ（ＮＦＶ  Ｏｒｃｈｅｓｔｒａｔｉｏｎ、ネットワーク機能仮想化オーケストレータ（network functions virtualization orchestrator））などの機能ノードを導入する。
【０００３】
仮想化層およびサービス層はＮＦＶシステムに導入され、それぞれのアプリケーションＶＮＦはＮＦＶＩ上で走る。階層化設計に従ってＥＭＳ（Ｅｌｅｍｅｎｔ  Ｍａｎａｇｅｍｅｎｔ  Ｓｙｓｔｅｍ、要素管理システム）は、ネットワーク要素のアラーム情報をサービス層および仮想化層で別々に監視する。ネットワーク要素は、仮想化層における物理オブジェクトまたはサービス層における仮想オブジェクトに対する総称でよい。例えば物理オブジェクトは、メモリ、ハードディスク、リンク、基板、ＣＰＵ、およびネットワークインターフェースカードを含み、仮想オブジェクトは、仮想マシン、仮想ネットワークインターフェースカード、およびアプリケーションプログラムを含む。
【０００４】
現在のトラブルシューティングにおいて、ＥＭＳは、単一層でアラーム情報を監視し、欠陥をネットワーク全体の観点から決定することができない。ＥＭＳは、同じ根本原因のアラーム情報に対する複数の作業指示をメンテナンス要員に発信する。このようにして監視要員は、欠陥を分析し、作業指示を発信し、作業指示を追跡する際に、多くの時間を費やす必要がある。加えてメンテナンス要員は、大量の作業指示を処理する必要もある。オペレーションおよびメンテナンスのコストは、かなり増加する。
【発明の概要】
【０００５】
本発明の実施形態において解決されるべき技術的問題は、アラーム情報を処理する方法、関連デバイス、およびシステムを提供しており、このことが、従来技術におけるオペレーションおよびメンテナンスにかかる高コストの問題を解決することができる。
【０００６】
前述の技術的問題を解決するために、本発明の実施形態の第１の態様は、アラーム情報を処理する方法を提供し、この方法は、
要素管理システムＥＭＳによって、仮想化されたネットワーク機能マネージャＶＮＦＭによって報告された第１のアラームメッセージを受信することであって、第１のアラームメッセージは第１のアラーム関連付け情報を含み、第１のアラーム関連付け情報は、第１のオブジェクト識別、およびオブジェクト識別の間のプリセットされた関連付けのうちの少なくとも１つを含む、受信することと、
ＥＭＳによって、仮想化されたネットワーク機能（virtualized network function）ＶＮＦによって報告された第２のアラームメッセージを受信することであって、第２のアラームメッセージは第２のアラーム関連付け情報を含み、第２のアラーム関連付け情報は、第２のオブジェクト識別、およびオブジェクト識別の間のプリセットされた関連付けのうちの少なくとも１つを含む、受信することと、
ＥＭＳによって第１のアラームメッセージおよび第２のアラームメッセージに対する相関分析を、第１のアラーム関連付け情報および第２のアラーム関連付け情報に従って実行することと
を含む。
【０００７】
第１の態様に関して、第１の態様の第１の実装形態の手法において、第１のオブジェクト識別は、ＶＮＦ識別、仮想マシンＶＭ識別、およびＶＭの仮想伝送リソース識別のうちの少なくとも１つを含み、
第２のオブジェクト識別は、ＶＮＦ識別、ＶＭ識別、およびＶＭの仮想伝送リソース識別のうちの少なくとも１つを含み、
オブジェクト識別の間のプリセットされた関連付けは、異なるオブジェクト識別の間の関連付けを示すために使用され、
ＶＮＦ識別はＶＮＦ識別子ＩＤまたはＶＮＦ名を含み、ＶＭ識別はＶＭ  ＩＤまたはＶＭ名を含み、仮想伝送リソース識別は仮想伝送リソースＩＤまたは仮想伝送リソース名を含む。
【０００８】
第１の態様または第１の態様の第１の実装形態の手法に関して、第１の態様の第２の実装形態の手法において、第１のアラームメッセージは第１のアラーム情報セットをさらに含み、第１のアラーム情報セットは、ＮＦＶＩアラーム情報、ＶＭアラーム情報、およびＶＮＦＭアラーム情報のうちの少なくとも１つを含む。
【０００９】
第１の態様または第１の態様の第１または第２の実装形態の手法に関して、第１の態様の第３の実装形態の手法において、第２のアラームメッセージは第２のアラーム情報セットをさらに含み、第２のアラーム情報セットは少なくとも１つのＶＮＦアラーム情報を含む。
【００１０】
第１の態様または第１の態様の第１から第３の実装形態の手法のうちの任意の１つに関して、第１の態様の第４の実装形態の手法において、第１のアラームメッセージが第１のアラーム情報セットを含み、第２のアラーム情報が第２のアラーム情報セットを含むとき、ＥＭＳによって第１のアラームメッセージおよび第２のアラームメッセージに対する相関分析を、第１のアラーム関連付け情報および第２のアラーム関連付け情報に従って実行することは、
第１のアラーム情報セットおよび第２のアラーム情報セットから、第１のアラーム関連付け情報および第２のアラーム関連付け情報に従って、同じアラーム関連付け情報を有するアラーム情報を入手し、プリセットされた相関則に従って、同じアラーム関連付け情報を有する獲得されたアラーム情報に対する相関分析を実行すること、または、
第３のアラーム情報セットを、第１のアラーム情報セットおよび第２のアラーム情報セットから、オブジェクト識別の間のプリセットされた関連付け、第１のオブジェクト識別、および第２のオブジェクト識別に従って獲得し、第３のアラーム情報セットはオブジェクト識別が関連付けられたアラーム情報を含み、さらに第３のアラーム情報セットに対する相関分析をプリセットされた相関則に従って実行すること
を含む。
【００１１】
本発明の第２の態様は、アラーム情報を処理する方法を提供し、この方法は、
仮想化されたネットワーク機能マネージャＶＮＦＭによって、仮想化されたインフラストラクチャマネージャＶＩＭによって報告された仮想マシンＶＭアラーム情報を受信することであって、ＶＭアラーム情報は第３のオブジェクト識別を含む、受信することと、
ＶＮＦＭによって第１のアラームメッセージをＶＭアラーム情報に従って生成することであって、第１のアラームメッセージは第１のアラーム関連付け情報を含み、第１のアラーム関連付け情報は、第１のオブジェクト識別、およびオブジェクト識別の間のプリセットされた関連付けのうちの少なくとも１つを含む、生成することと、
ＶＮＦＭによって第１のアラームメッセージを要素管理システムＥＭＳに送信し、その結果ＥＭＳが、第１のアラームメッセージおよびＶＮＦによって報告された第２のアラームメッセージに対する相関分析を実行することと
を含む。
【００１２】
第２の態様に関して、第２の態様の第１の実装形態の手法において、第３のオブジェクト識別は、ＶＭ識別、ＮＦＶＩインフラストラクチャ層におけるホストＨＯＳＴ識別、およびＶＭの仮想伝送リソース識別のうちの少なくとも１つを含み、
ＶＭ識別はＶＭ識別子ＩＤまたはＶＭ名を含み、ＨＯＳＴ識別はＨＯＳＴ  ＩＤまたはＨＯＳＴ名を含み、ＶＭの仮想伝送リソース識別は仮想伝送リソースＩＤまたは仮想伝送リソース名を含む。
【００１３】
第２の態様または第２の態様の第１の実装形態の手法に関して、第２の態様の第２の実装形態の手法において、第１のオブジェクト識別は、ＶＮＦ識別、ＶＭ識別、およびＶＭの仮想伝送リソース識別のうちの少なくとも１つを含み、
オブジェクト識別の間のプリセットされた関連付けは、異なるオブジェクト識別の間の関連付けを示すために使用される。
【００１４】
第２の態様または第２の態様の第１もしくは第２の実装形態の手法に関して、第２の態様の第３の実装形態の手法において、第１のアラームメッセージは第１のアラーム情報セットをさらに含み、第１のアラーム情報セットは、ＮＦＶＩアラーム情報、ＶＭアラーム情報、およびＶＮＦＭアラーム情報のうちの少なくとも１つを含む。
【００１５】
第２の態様または第２の態様の前述の実装形態の手法のうちの任意の１つに関して、第２の態様の第４の実装形態の手法において、ＶＮＦＭによって第１のアラームメッセージをＶＭアラーム情報に従って生成することは、
第３のオブジェクト識別とＶＮＦ識別との間のプリセットされた対応関係、およびＶＭアラーム情報内の第３のオブジェクト識別に従って、第３のオブジェクト識別に対応するＶＮＦ識別を取得し、取得されたＶＮＦ識別を第１のオブジェクト識別として使用し、第１のアラームメッセージを生成すること、または、
ＶＭアラーム情報に対する相関分析を実行し、第１のアラームメッセージを生成すること
を含む。
【００１６】
本発明の第３の態様は、アラーム情報を処理する方法を提供し、この方法は、
仮想化されたインフラストラクチャマネージャＶＩＭによって、少なくとも２つのアラーム情報に対する相関分析を実行し、仮想マシンＶＭアラーム情報を生成することと、
生成されたＶＭアラーム情報を仮想化されたネットワーク機能マネージャＶＮＦＭに報告し、その結果ＶＮＦＭが、ＶＭアラーム情報に従って第１のアラームメッセージを要素管理システムＥＭＳに報告することであって、ＥＭＳは、第１のアラームメッセージおよびＶＮＦによって報告された第２のアラームメッセージに対する相関分析を実行する、報告することと
を含む。
【００１７】
第３の態様に関して、第３の態様の第１の実装形態の手法において、少なくとも２つのアラーム情報は、
少なくとも１つのネットワーク機能仮想化インフラストラクチャＮＦＶＩアラーム情報および少なくとも１つのＶＭアラーム情報、または、
少なくとも２つのＮＦＶＩアラーム情報、または、
少なくとも２つのＶＭアラーム情報
を含む。
【００１８】
第３の態様または第３の態様の第１の実装形態の手法に関して、第３の態様の第２の実装形態の手法において、方法は、
ＮＦＶＩによって報告されたＮＦＶＩアラーム情報を受信することであって、ＮＦＶＩアラーム情報はＮＦＶＩ識別を含む、受信すること
をさらに含み、
ＶＩＭによって少なくとも２つのアラーム情報に対する相関分析を実行し、仮想マシンＶＭアラーム情報を生成することは、
ＮＦＶＩアラーム情報に対する相関分析を実行し、ＶＭアラーム情報を生成すること
を含み、
ＮＦＶＩ識別は、ＶＭ識別、ホストＨＯＳＴ識別、および仮想マシンの仮想伝送リソース識別のうちの少なくとも１つを含み、ＶＭ識別はＶＭ識別子ＩＤまたはＶＭ名を含み、ＨＯＳＴ識別はＨＯＳＴ  ＩＤまたはＨＯＳＴ名を含み、ＶＭの仮想伝送リソース識別は仮想伝送リソースＩＤまたは仮想伝送リソース名を含む。
【００１９】
本発明の第４の態様は、アラーム情報を処理する装置を提供し、装置は要素管理システムＥＭＳであり、
仮想化されたネットワーク機能マネージャＶＮＦＭによって報告された第１のアラームメッセージを受信するように構成された第１の受信ユニットであって、第１のアラームメッセージは第１のアラーム関連付け情報を含み、第１のアラーム関連付け情報は、第１のオブジェクト識別、およびオブジェクト識別の間のプリセットされた関連付けのうちの少なくとも１つを含む、第１の受信ユニットと、
仮想化されたネットワーク機能ＶＮＦによって報告された第２のアラームメッセージを受信するように構成された第２の受信ユニットであって、第２のアラームメッセージは第２のアラーム関連付け情報を含み、第２のアラーム関連付け情報は、第２のオブジェクト識別、およびオブジェクト識別の間のプリセットされた関連付けのうちの少なくとも１つを含む、第２の受信ユニットと、
第１のアラーム関連付け情報および第２のアラーム関連付け情報に従って、第１の受信ユニットによって受信された第１のアラームメッセージ、および第２の受信ユニットによって受信された第２のアラームメッセージに対する相関分析を実行するように構成された処理ユニットと
を含む。
【００２０】
第４の態様に関して、第４の態様の第１の実装形態の手法において、第１のオブジェクト識別は、ＶＮＦ識別、仮想マシンＶＭ識別、およびＶＭの仮想伝送リソース識別のうちの少なくとも１つを含み、
第２のオブジェクト識別は、ＶＮＦ識別、ＶＭ識別、およびＶＭの仮想伝送リソース識別のうちの少なくとも１つを含み、
オブジェクト識別の間のプリセットされた関連付けは、異なるオブジェクト識別の間の関連付けを示すために使用され、
ＶＮＦ識別はＶＮＦ識別子ＩＤまたはＶＮＦ名を含み、ＶＭ識別はＶＭ  ＩＤまたはＶＭ名を含み、仮想伝送リソース識別は仮想伝送リソースＩＤまたは仮想伝送リソース名を含む。
【００２１】
第４の態様または第４の態様の第１の実装形態の手法に関して、第４の態様の第２の実装形態の手法において、第１のアラームメッセージは第１のアラーム情報セットをさらに含み、第１のアラーム情報セットは、ＮＦＶＩアラーム情報、ＶＭアラーム情報、およびＶＮＦＭアラーム情報のうちの少なくとも１つを含む。
【００２２】
第４の態様または第４の態様の第１もしくは第２の実装形態の手法に関して、第４の態様の第３の実装形態の手法において、第２のアラームメッセージは第２のアラーム情報セットをさらに含み、第２のアラーム情報セットは少なくとも１つのＶＮＦアラーム情報を含む。
【００２３】
第４の態様または第４の態様の前述の実装形態の手法のうちの任意の１つに関して、第４の態様の第４の実装形態の手法において、第１のアラームメッセージが第１のアラーム情報セットを含み、第２のアラーム情報が第２のアラーム情報セットを含むとき、処理ユニットは、
第１のアラーム情報セットおよび第２のアラーム情報セットから、第１のアラーム関連付け情報および第２のアラーム関連付け情報に従って、同じアラーム関連付け情報を有するアラーム情報を獲得し、プリセットされた相関則に従って、同じアラーム関連付け情報を有する獲得されたアラーム情報に対する相関分析を実行すること、または、
第３のアラーム情報セットを、第１のアラーム情報セットおよび第２のアラーム情報セットから、オブジェクト識別の間のプリセットされた関連付け、第１のオブジェクト識別、および第２のオブジェクト識別に従って獲得し、第３のアラーム情報セットはオブジェクト識別が関連付けられたアラーム情報を含み、さらに第３のアラーム情報セットに対する相関分析を、プリセットされた相関則に従って実行すること
を行うように具体的に構成される。
【００２４】
本発明の第５の態様は、アラーム情報を処理する装置を提供し、装置は、仮想化されたネットワーク機能マネージャＶＮＦＭであり、
仮想化されたインフラストラクチャマネージャＶＩＭによって報告された仮想マシンＶＭアラーム情報を受信するように構成された受信ユニットであって、ＶＭアラーム情報は第３のオブジェクト識別を含む、受信ユニットと、
第１のアラームメッセージを、受信ユニットによって受信されたＶＭアラーム情報に従って生成するように構成された処理ユニットであって、第１のアラームメッセージは第１のアラーム関連付け情報を含み、第１のアラーム関連付け情報は、第１のオブジェクト識別、およびオブジェクト識別の間のプリセットされた関連付けのうちの少なくとも１つを含む、処理ユニットと、
処理ユニットによって生成された第１のアラームメッセージを要素管理システムＥＭＳに送信するように構成され、その結果ＥＭＳは、第１のアラームメッセージおよびＶＮＦによって報告された第２のアラームメッセージに対する相関分析を実行する送信ユニットと
を含む。
【００２５】
第５の態様に関して、第５の態様の第１の実装形態の手法において、第３のオブジェクト識別は、ＶＭ識別、ＮＦＶＩインフラストラクチャ層におけるホストＨＯＳＴ識別、およびＶＭの仮想伝送リソース識別のうちの少なくとも１つを含み、
ＶＭ識別はＶＭ識別子ＩＤまたはＶＭ名を含み、ＨＯＳＴ識別はＨＯＳＴ  ＩＤまたはＨＯＳＴ名を含み、ＶＭの仮想伝送リソース識別は仮想伝送リソースＩＤまたは仮想伝送リソース名を含む。
【００２６】
第５の態様または第５の態様の第１の実装形態の手法に関して、第５の態様の第２の実装形態の手法において、第１のオブジェクト識別は、第１のオブジェクトを一意に識別するために使用され、第１のオブジェクト識別は、ＶＮＦ識別、ＶＭ識別、およびＶＭの仮想伝送リソース識別のうちの少なくとも１つを含み、
オブジェクト識別の間のプリセットされた関連付けは、異なるオブジェクト識別の間の関連付けを示すために使用される。
【００２７】
第５の態様または第５の態様の第１もしくは第２の実装形態の手法に関して、第５の態様の第３の実装形態の手法において、第１のアラームメッセージは第１のアラーム情報セットをさらに含み、第１のアラーム情報セットは、ＮＦＶＩアラーム情報、ＶＭアラーム情報、およびＶＮＦＭアラーム情報のうちの少なくとも１つを含む。
【００２８】
第５の態様または第５の態様の前述の実装形態の手法のうちの任意の１つに関して、第５の態様の第４の実装形態の手法において、処理ユニットは、
第３のオブジェクト識別とＶＮＦ識別との間のプリセットされた対応関係、およびＶＭアラーム情報内の第３のオブジェクト識別に従って、第３のオブジェクト識別に対応するＶＮＦ識別を取得し、取得されたＶＮＦ識別を第１のオブジェクト識別として使用し、第１のアラームメッセージを第１のオブジェクト識別に従って生成すること、または、
ＶＭアラーム情報に対する相関分析を実行し、第１のアラームメッセージを生成すること
を行うように具体的に構成される。
【００２９】
本発明の第６の態様は、アラーム情報を処理する装置を提供し、装置は仮想化されたインフラストラクチャマネージャＶＩＭであり、
少なくとも２つのアラーム情報に対する相関分析を実行し、仮想マシンＶＭアラーム情報を生成するように構成された処理ユニットと、
処理ユニットによって生成されたＶＭアラーム情報を仮想化されたネットワーク機能マネージャＶＮＦＭに報告するように構成され、その結果ＶＮＦＭは、ＶＭアラーム情報に従って第１のアラームメッセージを要素管理システムＥＭＳに報告する送信ユニットであって、ＥＭＳは、第１のアラームメッセージおよびＶＮＦによって報告された第２のアラームメッセージに対する相関分析を実行する、送信ユニットと
を含む。
【００３０】
第６の態様に関して、第６の態様の第１の実装形態の手法において、少なくとも２つのアラーム情報は、
少なくとも１つのネットワーク機能仮想化インフラストラクチャＮＦＶＩアラーム情報および少なくとも１つのＶＭアラーム情報、または、
少なくとも２つのＮＦＶＩアラーム情報、または、
少なくとも２つのＶＭアラーム情報
を含む。
【００３１】
第６の態様または第６の態様の第１の実装形態の手法に関して、第６の態様の第２の実装形態の手法において、装置は、
ＮＦＶＩによって報告されたＮＦＶＩアラーム情報を受信するように構成された受信ユニットであって、ＮＦＶＩアラーム情報はＮＦＶＩ識別を含む、受信ユニットと、
受信ユニットによって受信されたＮＦＶＩアラーム情報に対する相関分析を実行するように構成され、ＶＭアラーム情報を生成する処理ユニットと
をさらに含み、
ＮＦＶＩ識別は、ＶＭ識別、ホストＨＯＳＴ識別、および仮想マシンの仮想伝送リソース識別のうちの少なくとも１つを含み、ＶＭ識別はＶＭ識別子ＩＤまたはＶＭ名を含み、ＨＯＳＴ識別はＨＯＳＴ  ＩＤまたはＨＯＳＴ名を含み、ＶＭの仮想伝送リソース識別は仮想伝送リソースＩＤまたは仮想伝送リソース名を含む。
【００３２】
以下の有益な効果は、本発明を実装することによってもたらされる。
【００３３】
関連付けに基づいて、相関分析は異なる層におけるアラーム情報に対して実行されてよく、異なる層において相関関係を有するアラーム情報は、決定されてよく、アラーム情報の間の層を横断する関連付けは、実装されてよく、同じ作業指示は、同じ根本原因のアラーム情報に対して発信されてよく、それによって発信された作業指示の量を低減し、ネットワークのオペレーションおよびメンテナンスのコストを低減する。
【図面の簡単な説明】
【００３４】
本発明の実施形態における技術的解決法をより明確に説明するために、以下は、実施形態を説明するのに要求される添付の図面を簡単に紹介する。明らかに以下の説明における添付の図面は、本発明のいくつかの実施形態を示すに過ぎず、当業者は他の図面をこれらの添付の図面から創造的な努力をすることなく、さらに導き出し得る。
【００３５】
【図１】本発明の実施形態によるＮＦＶシステムの概略構造図である。
【図２】本発明の実施形態によるアラーム情報を処理する方法の概略流れ図である。
【図３】本発明の実施形態によるアラーム情報を処理するシステムにおける相互作用の概略図である。
【図４】本発明の実施形態による要素管理システムの概略構造図である。
【図５】図４における作業指示発信モジュールの概略構造図である。
【図６】本発明の実施形態による要素管理システムの別の概略構造図である。
【図７】本発明の実施形態によるアラーム情報を処理する方法の概略流れ図である。
【図８】本発明の実施形態による別のアラーム情報を処理する方法の概略流れ図である。
【図９】本発明の実施形態によるさらに別のアラーム情報を処理する方法の概略流れ図である。
【図１０】本発明の実施形態による別のアラーム情報を処理するシステムの相互作用の概略図である。
【図１１】本発明の実施形態によるアラーム情報を処理する装置の概略構造図である。
【図１２】本発明の実施形態による別のアラーム情報を処理する装置の概略構造図である。
【図１３】本発明の実施形態によるさらに別のアラーム情報を処理する装置の概略構造図である。
【図１４】本発明の実施形態によるアラーム情報を処理する装置の概略構造図である。
【図１５】本発明の実施形態による別のアラーム情報を処理する装置の概略構造図である。
【図１６】本発明の実施形態によるさらに別のアラーム情報を処理する装置の概略構造図である。
【発明を実施するための形態】
【００３６】
以下では、本発明の実施形態における添付の図面を参照しながら、本発明の実施形態における技術的解決法を、明確に説明する。明らかに説明された実施形態は、本発明の実施形態のうちのいくつかに過ぎず、全てではない。当業者によって、本発明の実施形態に基づき、創造的な努力をすることなく取得された全ての他の実施形態は、本発明の保護範囲内に入る。
【００３７】
図１を参照すると、図１は、本発明の実施形態のネットワークアーキテクチャの図である。本発明の本実施形態の技術的解決法は、ＮＦＶシステムに適用され、本発明の本実施形態のＮＦＶシステムは、ネットワーク機能仮想化インフラストラクチャ（Ｎｅｔｗｏｒｋ  Ｆｕｎｃｔｉｏｎ  Ｖｉｒｔｕａｌｉｚａｔｉｏｎ  Ｉｎｆｒａｓｔｒｕｃｔｕｒｅ、略してＮＦＶＩ）、ＶＩＭ、ＶＮＦ、ＥＭＳ、ＶＮＦＭおよびＮＦＶＯなどの機能ノードを含む。
【００３８】
ＶＮＦは、伝統的な非仮想化ネットワークにおける物理ネットワーク機能（Ｐｈｙｓｉｃａｌ  Ｎｅｔｗｏｒｋ  Ｆｕｎｃｔｉｏｎ、ＰＮＦ）エンティティに対応する。ネットワーク機能の機能的挙動および状態は、仮想化が実装されているかどうかに無関係である。本発明の本実施形態において、ＶＮＦおよびＰＮＦは、同じ機能的挙動および同じ外部インターフェースを有する。
【００３９】
ＥＭＳは、ＮＦＶシステムにおいて、サービス層および仮想化層における複数のネットワーク要素のアラーム情報を監視するために使用される。
【００４０】
ＶＩＭは、計算、ストレージ、およびネットワークリソースを制御および管理するために使用される仮想化されたエンティティである。
【００４１】
ＮＦＶＯは、ＮＦＶリソースに関するネットワーク側のオーケストレーションおよび管理を実行することに対して責任がある仮想化されたエンティティであり、ＮＦＶサービストポロジをＮＦＶインフラストラクチャ上に実現する。
【００４２】
ＮＦＶＩは、ハードウェアリソース、仮想リソース、および仮想化層を含む。ＶＮＦの観点から、仮想化層およびハードウェアリソースは、要求された仮想リソースを提供することができるエンティティとして見なされてよい。ＮＦＶＩの管理制御ユニットは、ＮＦＶＩ内の仮想マシンＶＭの管理および制御に対して責任がある。
【００４３】
ＶＮＦＭは、ＶＮＦのライフサイクル管理に対して責任がある。
【００４４】
本実施形態におけるＮＦＶシステムにおいて使用されるインターフェースは、
【００４５】
１．仮想化層とハードウェアリソースとの間のＶＩ−Ｈａインターフェースであって、ＶＩ−Ｈａインターフェースを使用することによって、ハードウェアリソースがリクエストされてよく、関連するハードウェアリソースのステータス情報が収集されてよいインターフェース、
【００４６】
２．ＶＮＦとＮＦＶＩとの間にあり、ＮＦＶＩによってＶＮＦに対して提供された実行環境を説明するように構成されるＶｎ−Ｎｆインターフェース、
【００４７】
３．ＮＦＶＯとＶＮＦＭの間にあり、ＭＡＮＯの内部インターフェースであるＯｒ−ＶｎＦｍインターフェースであって、ＭＡＮＯは、ＮＦＶＯ、ＶＮＦＭ、およびＶＩＭを含み、Ｏｒ−Ｖｎｆｍインターフェースは、ＮＦＶＯによって、
リソース関連のリクエスト、例えばリソースの認可、認証、予約、割当てなどに対するリクエストを、ＶＮＦＭに、ＶＮＦのライフサイクル管理のために送信すること、
構成情報をＶＮＦＭに送り、これによりＶＮＦがＶＮＦフォワーディンググラフ（ｆｏｒｗａｒｄｉｎｇ  ｇｒａｐｈ）に従って適切に構成されることができること、および、
ＶＮＦのステータス情報（例えば欠陥情報）を、ＶＮＦのライフサイクル管理のために収集すること
を行うために具体的に使用されるインターフェース、
【００４８】
４．ＶＩＭとＶＮＦＭとの間にあり、ＭＡＮＯの内部インターフェースであるＶｉ−Ｖｎｆｍインターフェースであって、Ｖｉ−Ｖｎｆｍインターフェースは、ＶＮＦＭによって、リソース構成リクエストを送ること、および、
仮想ハードウェアリソースを構成し、ステータス情報を交換すること
を行うために具体的に使用されるインターフェース、
【００４９】
５．ＮＦＶＯとＶＩＭとの間にあり、ＮＦＶＯの内部インターフェースであるＯｒ−Ｖｉインターフェースであって、Ｏｒ−Ｖｉインターフェースは、ＮＦＶＯによってリソース予約リクエストを送信すること、ＮＦＶＯによってリソース割当てリクエストを送信すること、および仮想ハードウェアリソースを構成し、ステータス情報を交換することを行うために具体的に使用されるインターフェース、
【００５０】
６．ＮＦＶＩとＶＩＭの間にあり、具体的なリソースをリソース割当てリクエストに従って割り当てること、仮想リソースステータス情報を転送すること、および仮想ハードウェアリソースを構成し、ステータス情報を交換すること
を行うために具体的に使用されるＮｆ−Ｖｉインターフェース、
【００５１】
７．ＯＳＳ／ＢＳＳとＮＦＶＯとの間にあり、
サービスグラフのライフサイクル管理をリクエストすること、ＶＮＦのライフサイクル管理をリクエストすること、ＮＦＶ関連のステータス情報を転送すること、ポリシー管理情報を交換すること、データ分析情報を交換すること、ＮＦＶ関連の課金および使用記録を転送すること、ならびに容量および在庫情報を交換すること
を行うように具体的に構成される、Ｏｓ−Ｍａインターフェース、
【００５２】
８．ＶＮＦ／ＥＭＳとＶＮＦＭとの間にあり、
ＶＮＦのライフサイクル管理をリクエストすること、構成情報を交換すること、およびライフサイクル管理を実行するのに必要なステータス情報を交換すること
を行うために具体的に使用される、Ｖｅ−Ｖｎｆｍインターフェース、
【００５３】
９．サービスとＶＮＦおよびインフラストラクチャ記述（Infrastructure Description）とＮＦＶＯとの間にあり、ＶＮＦフォワーディンググラフに関連した情報、サービス関連の情報、ＶＮＦ関連の情報、およびＮＦＶＩ情報モデルに関連した情報を取り出すために使用されるＳｅ−Ｍａインターフェースであって、情報はＮＦＶＯに使用のために提供されるインターフェース、
を含む。
【００５４】
本発明の本実施形態において、関連付け分析は、サービス層におけるアラーム情報、ならびにインフラストラクチャ層および仮想化層におけるアラーム情報に対して実行され、アラーム情報の量を低減し、層を横断するアラーム情報分析は実装され、同じ作業指示は同じ根本原因のアラーム情報に対して発信され、発信された作業指示の量を低減し、それによってネットワークのオペレーションおよびメンテナンスのコストを低減する。
【００５５】
図２を参照すると、図２は、本発明の実施形態によるアラーム情報を処理する方法を示す。本発明の本実施形態において、方法は以下のステップを含む。
【００５６】
Ｓ１０１。要素管理システムＥＭＳは、仮想化されたネットワーク機能マネージャＶＮＦＭによって報告された第１のアラーム情報セットを獲得し、第１のアラーム情報セットは、ＶＮＦＭが、少なくとも１つのネットワーク機能仮想化インフラストラクチャＮＦＶＩアラーム情報、および少なくとも１つの仮想化されたインフラストラクチャマネージャＶＩＭアラーム情報に対する相関分析を実行した後、生成される。
【００５７】
具体的には、ＮＦＶＩは、インフラストラクチャ層と仮想化層に分割される。インフラストラクチャ層および仮想化層は、異なる管理されたオブジェクトを含む。例えばインフラストラクチャ層は、物理ホスト、メモリ、スイッチ、物理ネットワークインターフェースカード、および物理ポートなどの管理されたオブジェクトを含み、仮想化層は、仮想マシン、仮想ネットワークインターフェースカード、および仮想ポートなどの管理されたオブジェクトを含む。ＮＦＶＩ内の管理されたオブジェクトが故障しているとき、ＮＦＶＩは少なくとも１つのＮＦＶＩアラーム情報をＶＩＭに報告し、アラーム情報は、管理されたオブジェクト識別、アラーム時刻、およびアラーム重要度などのパラメータを搬送する。ＶＩＭは、ＮＦＶＩを管理することに対して責任がある。ＮＦＶＩが故障しているとき、ＶＩＭも故障しており、ＶＩＭアラーム情報を生成する。ＶＩＭは、少なくとも１つのＮＦＶＩアラーム情報および少なくとも１つのＶＩＭアラーム情報をＶＮＦＭに報告する。ＶＮＦＭは、少なくとも１つのＮＦＶＩアラーム情報および少なくとも１つのＶＩＭアラーム情報に対する相関分析を実行する。
【００５８】
ＶＮＦＭは、少なくとも１つのＮＦＶＩアラーム情報および少なくとも１つのＶＩＭアラーム情報に対する相関分析を相関則に従って実行し、相関を有するアラーム情報を決定し、相関を有するアラーム情報をグループ化してよい。ＶＮＦＭは、少なくとも１つのＮＦＶＩアラーム情報および少なくとも１つのＶＩＭアラーム情報を遮蔽し、アラーム情報の量を低減してもよい。前述の処理の後、第１のアラーム情報セットが生成され、ＶＮＦＭは、第１のアラーム情報セットをＥＭＳに報告し、第１のアラーム情報セットは、フォールトの木の形式で表されてよい。
【００５９】
Ｓ１０２。ＥＭＳは、仮想化されたネットワーク機能ＶＮＦによって報告された第２のアラーム情報セットを獲得し、第２のアラーム情報セットは、少なくとも１つの仮想化されたネットワーク機能ＶＮＦアラーム情報を含む。
【００６０】
具体的には、ＶＮＦがＶＮＦに故障を検出したとき、複数のＶＮＦアラーム情報が生成され、第２のアラームセットは複数のアラーム情報を含み、ＶＮＦは第２のアラーム情報セットをＥＭＳに報告する。
【００６１】
Ｓ１０３。ＥＭＳは、第１のアラーム情報セットおよび第２のアラーム情報セットに対する相関分析を実行し、相関関係を有するアラーム情報に対する構成された作業指示を発信する。
【００６２】
具体的には、ＥＭＳは、第１のアラーム情報セット内のアラーム情報および第２のアラームセット内のアラーム情報に対する相関分析を実行する。第１のアラーム情報セット内のアラーム情報は、インフラストラクチャ層および仮想化層において生成されたアラーム情報を含む。第２のアラーム情報セット内のアラーム情報は、サービス層におけるアラーム情報を含む。ＥＭＳは、第１のアラーム情報セット内のアラーム情報および第２のアラーム情報セット内のアラーム情報に対する相関分析を、プリセットされた相関則に従って実行し、相関関係を有するアラーム情報に対する構成された作業指示を発信してよい。このようにして、相関分析は複数の層におけるアラーム情報に対して実行され、作業指示は相関関係を有するアラーム情報に対して発信され、それによって作業指示の量を低減する。
【００６３】
任意選択で、ＥＭＳが第１のアラーム情報セットおよび第２のアラーム情報セットに対する相関分析を実行し、相関関係を有するアラーム情報に対する構成された作業指示を発信することは、
第１のアラーム情報セット内のアラーム情報内で搬送される管理されたオブジェクト識別を抽出することと、
第１のアラーム情報セットおよび第２のアラーム情報セットにおいて、管理されたオブジェクト識別の間の関連付けに基づいて、相関関係を有するアラーム情報を問い合わせることと、
相関関係を有するアラーム情報に対する構成された作業指示を発信することと
を含む。
【００６４】
具体的には、異なる管理されたオブジェクトは、インフラストラクチャ層、仮想化層、およびサービス層に分散され、サービス層は最上層として機能し、仮想化層は中間層として機能し、インフラストラクチャ層は最下層として機能する。１つの層における管理されたオブジェクトは、別の層におけるそれとの具体的な対応関係を有する。インフラストラクチャ層における管理されたオブジェクトが故障しているとき、仮想化層およびサービス層における対応する管理されたオブジェクトも故障している。全ての層における管理されたオブジェクトが故障しているとき、管理されたオブジェクト識別はアラーム情報内で搬送される。このような対応関係を有する管理されたオブジェクトの管理されたオブジェクト識別は、予め纏められ、関連付けを形成する。例えば、サービス層におけるＡｐｐｌｉｃａｔｉｏｎ１、仮想化層におけるＶＭ１、およびインフラストラクチャ層におけるＨｏｓｔ１は、関連付けを有し、これによりＡｐｐｌｉｃａｔｉｏｎ１の識別、ＶＭ１の識別、およびＨｏｓｔ１の識別は、纏められ、関連付けを形成する。
【００６５】
ＥＭＳは、第１のアラーム情報セット内のアラーム情報内で搬送される管理されたオブジェクト識別を抽出し、第１のアラーム情報セットおよび第２のアラーム情報セットにおいて、関連付けに基づいて、相関関係を有するアラーム情報を問い合わせ、相関関係を有するアラーム情報に対する構成された作業指示を発信する。例えば第１のアラーム情報セットは、アラーム情報１、アラーム情報２、アラーム情報３、およびアラーム情報４を含み、第２のアラーム情報セットは、アラーム情報５、アラーム情報６、アラーム情報７、およびアラーム情報８を含み、第１のアラーム情報セットにおいて、アラーム情報１とアラーム情報２は相関関係を有し、アラーム情報３とアラーム情報４は相関関係を有する。アラーム情報１内で搬送され、ＥＭＳによって抽出された管理されたオブジェクト識別が、ＶＭ１の識別であり、関連付け「Ａｐｐｌｉｃａｔｉｏｎ１−ＶＭ１−Ｈｏｓｔ１」に従って、第２のアラーム情報セット内のアラーム情報５内で搬送された管理されたオブジェクト識別が、Ｈｏｓｔ１の識別であることが発見された場合、ＥＭＳは、アラーム情報１、アラーム情報２、アラーム情報４、およびアラーム情報５が、相関関係を有することを決定し、ＥＭＳは、故障原因を前述の４つのアラーム情報に従って分析し、構成された作業指示を発信する。
【００６６】
任意選択で、要素管理システムＥＭＳによって、仮想化されたネットワーク機能マネージャＶＮＦＭによって報告された第１のアラーム情報セットを獲得することの前に、方法は、
ＭＡＮＯによって、管理されたオブジェクト識別の間の、ＶＮＦに対する関連付けを構成することをさらに含み、第１のアラーム情報セット内のアラーム情報内で搬送される管理されたオブジェクト識別が、ＶＭの識別またはｖＮＩＣの識別を含み、第２のアラーム情報セット内のアラーム情報内で搬送された管理されたオブジェクト識別が、ＶＮＦの識別を含む。
【００６７】
具体的には、ＭＡＮＯは、管理されたオブジェクト識別の間の、ＶＮＦに対する関連付けを構成し、ＶＮＦによってＥＭＳに報告された、第２のアラーム情報セット内のアラーム情報は、管理されたオブジェクト識別の間の関連付けを搬送する。その上、第２のアラーム情報セット内のアラーム情報は、故障している管理されたオブジェクトの管理されたオブジェクト識別をさらに搬送し、第１のアラーム情報セット内のアラーム情報も、故障している管理されたオブジェクトの管理されたオブジェクト識別を搬送する。ＥＭＳは、第１のアラーム情報セットおよび第２のアラーム情報セットにおいて、第２のアラームセット内のアラーム情報内で搬送された管理されたオブジェクト識別の間の関連付けに従って、相関関係を有するアラーム情報を問い合わせてよい。第１のアラーム情報セット内のアラーム情報内で搬送された管理されたオブジェクト識別は、例えばＶＭ  ＩＤまたはｖＮＩＣ  ＩＤを含み、第２のアラーム情報セット内のアラーム情報内で搬送された管理されたオブジェクト識別の間の関連付けが、ＶＮＦ  ＩＤ−ＶＭ  ＩＤ−ｖＮＩＣ  ＩＤであり、管理されたオブジェクト識別の間の関連付けが、サービス層、仮想化層、およびインフラストラクチャ層にあり、対応関係を有する管理されたオブジェクト識別の間の関連付けを示す。
【００６８】
任意選択で、ＶＭの識別は、ＮＦＶＩによって割り当てられた識別またはＭＡＮＯによって割り当てられた識別を含む。
【００６９】
任意選択で、第１のアラーム情報セットおよび第２のアラーム情報セット内にあり、相関関係を有するアラーム情報は、同じグループに分類され、グループ識別は、それぞれのグループに割り当てられ、対応するアラームタイプ識別は、それぞれのグループにおいて根本的なアラーム情報および派生的なアラーム情報に割り当てられる。
【００７０】
具体的には、ＶＮＦＭは、プリセットされた相関則に従って、第１のアラーム情報セット内にあり、相関関係を有するアラーム情報を、同じグループに分類してよく、グループ識別は、それぞれのグループに割り当てられ、相関則は、時間相関則および空間相関則に分類される。ＶＮＦＭは、相関関係のタイプ、例えば親子アラームまたは兄弟アラームを空間相関則に従って決定し、根本的なアラーム情報および派生的なアラーム情報を、相関関係を有するアラーム情報から決定し、異なるアラームタイプ識別を別々に割り当てる。同様にＶＮＦは、第１のアラーム情報セット内のアラーム情報に関する前述の処理を実行してもよく、詳細は本明細書で再び説明されない。
【００７１】
相関則は現場での起動後すぐに使用されてよく、規則を要約し、現場でテストすることに対するクライアントのオペレーションは回避され、デフォルトの相関則は、専門家によって分析され、テストによって確認されており、高い精度を有することに留意されたい。相関則は要件に従ってイネーブルもしくはディスエーブルされてよく、または、相関則がいくつかの副規則を含む場合、副規則のうちの１つもしくは複数は、要件に従ってイネーブルもしくはディスエーブルされてよい。
【００７２】
本発明の本実施形態を実装することによって、関連付けに基づいて、相関分析は異なる層におけるアラーム情報に対して実行されてよく、相関関係を有する異なる層におけるアラーム情報は決定されてよく、アラーム情報の間の層を横断する関連付けは実装されてよく、同じ作業指示は、同じ根本原因のアラーム情報に対して発信されてよく、それによって発信された作業指示の量を低減し、ネットワークのオペレーションおよびメンテナンスのコストを低減する。
【００７３】
図３を参照すると、図３は、本発明の実施形態によるアラーム情報を処理するシステムの相互作用の概略図である。本発明の本実施形態において、伴われる機能エンティティは、ＥＭＳ、ＶＮＦ、ＶＮＦＭ、ＶＩＭ、およびＮＦＶＩを含み、前述の機能エンティティの間の相互作用のプロシージャは以下のようになる。
【００７４】
Ｓ２０１。ＮＦＶＩが故障しているとき、ＮＦＶＩは少なくとも１つのＮＦＶＩアラーム情報を生成する。具体的には、ＮＦＶＩは、インフラストラクチャ層および仮想化層に分割される。インフラストラクチャ層は物理的な管理されたオブジェクトを含み、仮想化層は仮想的な管理されたオブジェクトを含む。例えばインフラストラクチャ層は、物理ホスト、メモリ、スイッチ、物理ネットワークインターフェースカード、および物理ポートなどの管理されたオブジェクトを含み、仮想化層は、仮想マシン、仮想ネットワークインターフェースカード、および仮想ポートなどの管理されたオブジェクトを含む。ＮＦＶＩ内の管理されたオブジェクトが故障しているとき、ＮＦＶＩは少なくとも１つのＮＦＶＩアラーム情報を生成し、アラーム情報は、管理されたオブジェクト識別、アラーム時刻、およびアラーム重要度などのパラメータを搬送する。
【００７５】
Ｓ２０２。ＮＦＶＩは、少なくとも１つのＮＦＶＩアラーム情報をＶＩＭに報告する。Ｓ２０３。ＶＩＭが故障しているとき、ＶＩＭは少なくとも１つのＶＩＭアラーム情報を生成する。
【００７６】
具体的には、ＮＦＶＩが故障しているとき、ＶＩＭはまた、アラーム情報をＶＩＭのステータス情報および故障情報に従って生成し、アラーム情報は、管理されたオブジェクト識別、アラーム、およびアラーム重要度などのパラメータを搬送する。Ｓ２０４。ＶＩＭは、少なくとも１つのＮＦＶＩアラーム情報および少なくとも１つのＶＩＭアラーム情報をＶＮＦＭに報告する。
【００７７】
Ｓ２０５。ＶＮＦＭは、少なくとも１つのＮＦＶＩアラーム情報および少なくとも１つのＶＩＭアラーム情報に対する相関分析を実行し、第１のアラーム情報セットを生成する。
【００７８】
具体的には、ＶＮＦＭは、少なくとも１つのＮＦＶＩアラーム情報および少なくとも１つのＶＩＭアラーム情報に対する相関分析を相関則に従って実行し、相関を有するアラーム情報を決定し、相関を有するアラーム情報をグループ化してよい。ＶＮＦＭは、少なくとも１つのＮＦＶＩアラーム情報および少なくとも１つのＶＩＭアラーム情報を遮蔽し、アラーム情報の量を低減してもよい。前述の処理の後、第１のアラーム情報セットが生成され、ＶＮＦＭは、第１のアラーム情報セットをＥＭＳに報告し、第１のアラーム情報セットは、フォールトの木の形式で表されてよい。
【００７９】
Ｓ２０６。ＶＮＦＭは第１のアラーム情報セットをＥＭＳに報告する。
【００８０】
Ｓ２０７。ＶＮＦが故障しているとき、ＶＮＦは少なくとも１つのＶＮＦアラーム情報を生成する。
【００８１】
具体的には、ＮＦＶＩ内の管理されたオブジェクト、およびＶＮＦ内の管理されたオブジェクトは、対応関係を有し、ＮＦＶＩ内の管理されたオブジェクトが故障しているとき、ＶＮＦ内の管理されたオブジェクトも、それに対応して故障している。ＶＮＦが故障しているとき、少なくとも１つのＶＮＦアラーム情報が生成される。
【００８２】
Ｓ２０８。ＶＮＦは、少なくとも１つのＶＮＦアラーム情報に対する相関分析を実行し、第２のアラーム情報セットを生成する。具体的には、ＶＮＦは、プリセットされた相関則に従って、第２のアラーム情報セット内にあり、相関関係を有するアラーム情報を同じグループに分類してよく、グループ識別は、それぞれのグループに割り当てられ、相関則は、時間相関則および空間相関則に分類される。ＶＮＦは、相関関係のタイプ、例えば親子アラームおよび兄弟アラームを空間相関則に従って決定し、根本的なアラーム情報および派生的なアラーム情報を相関関係を有するアラーム情報から決定し、異なるアラームタイプ識別を別々に割り当てる。
【００８３】
Ｓ２０９。ＶＮＦは、第２のアラーム情報セットをＥＭＳに報告する。
【００８４】
Ｓ２１０。ＥＭＳは、第１のアラーム情報セット内のアラーム情報および第２のアラーム情報セット内のアラーム情報に対する相関分析を実行し、作業指示を発信する。
【００８５】
具体的には、ＥＭＳは、第１のアラーム情報セット内のアラーム情報および第２のアラームセット内のアラーム情報に対する相関分析を実行する。第１のアラーム情報セット内のアラーム情報は、インフラストラクチャ層および仮想化層において生成されたアラーム情報を含む。第２のアラーム情報セット内のアラーム情報は、サービス層におけるアラーム情報を含む。ＥＭＳは、第１のアラーム情報セット内のアラーム情報および第２のアラーム情報セット内のアラーム情報に対する相関分析を、プリセットされた相関則に従って実行し、相関関係を有するアラーム情報に対する構成された作業指示を発信してよい。このようにして相関分析は、複数の層におけるアラーム情報に対して実行され、作業指示は、相関関係を有するアラーム情報に対して発信され、それによって作業指示の量を低減する。
【００８６】
さらにＥＭＳが第１のアラーム情報セットおよび第２のアラーム情報セットに対する相関分析を実行し、相関関係を有するアラーム情報に対する構成された作業指示を発信することは、
第１のアラーム情報セット内のアラーム情報内で搬送される管理されたオブジェクト識別を抽出することと、
第１のアラーム情報セットおよび第２のアラーム情報セットにおいて、管理されたオブジェクト識別の間の関連付けに基づいて、相関関係を有するアラーム情報を問い合わせることと、
相関関係を有するアラーム情報に対する構成された作業指示を発信することと
を含む。
【００８７】
具体的には、異なる管理されたオブジェクトは、インフラストラクチャ層、仮想化層、およびサービス層に分散され、サービス層は最上層として機能し、仮想化層は中間層として機能し、インフラストラクチャ層は最下層として機能する。１つの層における管理されたオブジェクトは、別の層におけるそれとの具体的な対応関係を有する。インフラストラクチャ層における管理されたオブジェクトが故障しているとき、仮想化層およびサービス層における対応する管理されたオブジェクトも故障している。全ての層における管理されたオブジェクトが故障しているとき、管理されたオブジェクト識別はアラーム情報内で搬送される。このような対応関係を有する管理されたオブジェクトの管理されたオブジェクト識別は、予め纏められ、関連付けを形成する。例えば、サービス層におけるＡｐｐｌｉｃａｔｉｏｎ１、仮想化層におけるＶＭ１、およびインフラストラクチャ層におけるＨｏｓｔ１は、関連付けを有し、これによりＡｐｐｌｉｃａｔｉｏｎ１の識別、ＶＭ１の識別、およびＨｏｓｔ１の識別は、纏められ、関連付けを形成する。
【００８８】
ＥＭＳは、第１のアラーム情報セット内のアラーム情報内で搬送される管理されたオブジェクト識別を抽出し、第１のアラーム情報セットおよび第２のアラーム情報セットにおいて、関連付けに基づいて、相関関係を有するアラーム情報を問い合わせ、相関関係を有するアラーム情報に対する構成された作業指示を発信する。例えば第１のアラーム情報セットは、アラーム情報１、アラーム情報２、アラーム情報３、およびアラーム情報４を含み、第２のアラーム情報セットは、アラーム情報５、アラーム情報６、アラーム情報７、およびアラーム情報８を含み、第１のアラーム情報セットにおいて、アラーム情報１とアラーム情報２は相関関係を有し、アラーム情報３とアラーム情報４は相関関係を有する。アラーム情報１内で搬送され、ＥＭＳによって抽出された管理されたオブジェクト識別が、ＶＭ１の識別であり、関連付け「Ａｐｐｌｉｃａｔｉｏｎ１−ＶＭ１−Ｈｏｓｔ１」に従って、第２のアラーム情報セット内のアラーム情報５内で搬送された管理されたオブジェクト識別が、Ｈｏｓｔ１の識別であることが発見された場合、ＥＭＳは、アラーム情報１、アラーム情報２、アラーム情報４、およびアラーム情報５が、相関関係を有することを決定し、ＥＭＳは、故障原因を前述の４つのアラーム情報に従って分析し、構成された作業指示を発信する。
【００８９】
本発明の本実施形態を実装することによって、関連付けに基づいて、相関分析は異なる層におけるアラーム情報に対して実行されてよく、相関関係を有する異なる層におけるアラーム情報は決定されてよく、アラーム情報の間の層を横断する関連付けは実装されてよく、同じ作業指示は、同じ根本原因のアラーム情報に対して発信されてよく、それによって発信された作業指示の量を低減し、ネットワークのオペレーションおよびメンテナンスのコストを低減する。
【００９０】
図４を参照すると、図４は、本発明の実施形態による要素管理システムの概略構造図である。本発明の本実施形態において、要素管理システムは、第１の獲得モジュール１０、第２の獲得モジュール１１、および作業指示発信モジュール１２を含む。
【００９１】
第１の獲得モジュール１０は、仮想化されたネットワーク機能マネージャＶＮＦＭによって報告された第１のアラーム情報セットを獲得するように構成され、第１のアラーム情報セットは、ＶＮＦＭが、少なくとも１つのネットワーク機能仮想化インフラストラクチャＮＦＶＩアラーム情報および少なくとも１つの仮想化されたインフラストラクチャマネージャＶＩＭアラーム情報に対する相関分析を実行した後に生成される。
【００９２】
第２の獲得モジュール１１は、仮想化されたネットワーク機能ＶＮＦによって報告された第２のアラーム情報セットを獲得するように構成され、第２のアラーム情報セットは、少なくとも１つの仮想化されたネットワーク機能ＶＮＦアラーム情報を含む。
【００９３】
作業指示発信モジュール１２は、第１のアラーム情報セットおよび第２のアラーム情報セットに対する相関分析を実行し、相関関係を有するアラーム情報に対する構成された作業指示を発信することを行うように構成される。
【００９４】
任意選択で、図５を参照すると、作業指示発信モジュール１２は、抽出ユニット１３０、問い合わせユニット１３１、および発信ユニット１３２を含む。
【００９５】
抽出ユニット１３０は、第１のアラーム情報セット内のアラーム情報内で搬送された管理されたオブジェクト識別を抽出するように構成される。
【００９６】
問い合わせユニット１３１は、第１のアラーム情報セットおよび第２のアラーム情報セットにおいて、管理されたオブジェクト識別の間の関連付けに基づいて、相関関係を有するアラーム情報を問い合わせるように構成される。
【００９７】
発信ユニット１３２は、相関関係を有するアラーム情報に対する構成された作業指示を発信するように構成される。
【００９８】
任意選択で、第２のアラーム情報セット内のアラーム情報は、管理されたオブジェクト識別の間の関連付けを搬送し、第１のアラーム情報セット内のアラーム情報は、仮想マシンＶＭ識別、または仮想ネットワークインターフェースカードｖＮＩＣ識別を搬送する。
【００９９】
任意選択で、ＶＭ識別は、ＮＦＶＩまたはＭＡＮＯによって割り当てられる。ＭＡＮＯは、ＶＮＦ、ＶＩＭ、およびＮＦＶＯ含む。
【０１００】
任意選択で、第１のアラーム情報セットおよび第２のアラーム情報セット内にあり、相関関係を有するアラーム情報は、同じグループに分類され、グループ識別は、それぞれのグループに割り当てられ、対応するアラームタイプ識別は、それぞれのグループにおいて根本的なアラーム情報および派生的なアラーム情報に割り当てられる。
【０１０１】
本発明の本実施形態および方法の実施形態１は同じ概念に基づいており、本発明の本実施形態および方法の実施形態によってもたらされる技術的な効果も同じである。具体的な原理に関しては、方法の実施形態１の説明を参照されたく、詳細は本明細書で再び説明されない。
【０１０２】
図６を参照すると、図６は、本発明の実施形態による要素管理システムの別の概略構造図である。本発明の本実施形態において、要素管理システムは、プロセッサ６１、メモリ６２、および通信インターフェース６３を含む。プロセッサ６１、メモリ６２、および通信インターフェース６３は、バスを使用することによって、または別の手法で接続されてよい。バスを使用することによる接続は、例として図６で使用される。
【０１０３】
メモリ６２は、プログラムコードを記憶するように構成される。具体的には、プログラムはプログラムコードを含んでよく、プログラムコードはコンピュータ演算命令を含む。メモリ６２は、ランダムアクセスメモリ（Ｒａｎｄｏｍ  Ａｃｃｅｓｓ  Ｍｅｍｏｒｙ、略してＲＡＭ）を含んでよく、不揮発性メモリ（ｎｏｎ−ｖｏｌａｔｉｌｅ  ｍｅｍｏｒｙ）、例えば少なくとも１つの磁気ディスクメモリをさらに含んでよい。
【０１０４】
プロセッサ６１は、メモリ６２に記憶されたプログラムコードを実行し、本発明の実施形態において提供されたアラーム情報を処理する方法を実装するように構成され、ここで方法は、
ＶＮＦＭによって報告された第１のアラーム情報セットを獲得することであって、第１のアラーム情報セットは、ＶＮＦＭが、少なくとも１つのＮＦＶＩアラーム情報および少なくとも１つのＶＩＭアラーム情報に対する相関分析を実行した後に生成されることと、
仮想化されたネットワーク機能ＶＮＦによって報告された第２のアラーム情報セットを獲得することであって、第２のアラーム情報セットは、少なくとも１つの仮想化されたネットワーク機能ＶＮＦアラーム情報を含むことと、
第１のアラーム情報セットおよび第２のアラーム情報セットに対する相関分析を実行し、相関関係を有するアラーム情報に対する構成された作業指示を発信することと
を含む。
【０１０５】
任意選択で、プロセッサ６１が、第１のアラーム情報セットおよび第２のアラーム情報セットに対する相関分析を実行し、相関関係を有するアラーム情報に対する構成された作業指示を発信することは、
第１のアラーム情報セット内のアラーム情報内で搬送される管理されたオブジェクト識別を抽出することと、
第１のアラーム情報セットおよび第２のアラーム情報セットにおいて、管理されたオブジェクト識別の間の関連付けに基づいて、相関関係を有するアラーム情報を問い合わせることと、
相関関係を有するアラーム情報に対する構成された作業指示を発信することと
を含む。
【０１０６】
任意選択で、第２のアラーム情報セット内のアラーム情報は、管理されたオブジェクト識別の間の関連付けを搬送し、第１のアラーム情報セット内のアラーム情報は、仮想マシンＶＭ識別、または仮想ネットワークインターフェースカードｖＮＩＣ識別を搬送する。
【０１０７】
任意選択で、ＶＭ識別は、ＮＦＶＩまたはＭＡＮＯによって割り当てられる。
【０１０８】
任意選択で、第１のアラーム情報セットおよび第２のアラーム情報セット内にあり、相関関係を有するアラーム情報は、同じグループに分類され、グループ識別は、それぞれのグループに割り当てられ、対応するアラームタイプ識別は、それぞれのグループにおいて根本的なアラーム情報および派生的なアラーム情報に割り当てられる。
【０１０９】
図７を参照すると、図７は、本発明の実施形態によるアラーム情報を処理する方法を示す。方法はＥＭＳによって実行されてよく、方法は以下のステップを含む。
【０１１０】
７０１。ＶＮＦＭによって報告された第１のアラームメッセージを受信し、第１のアラームメッセージは、第１のアラーム関連付け情報を含む。
【０１１１】
第１のアラーム関連付け情報は、第１のオブジェクト識別およびオブジェクト識別の間のプリセットされた関連付けのうちの少なくとも１つを含む。
【０１１２】
さらに第１のオブジェクト識別は、ＶＮＦ識別、仮想マシンＶＭ識別、およびＶＭの仮想伝送リソース識別のうちの少なくとも１つを含む。
【０１１３】
ＶＭ識別は、ＶＭを一意に識別するために使用される。具体的には、ＶＭ識別はＶＭ名（ｎａｍｅ）であってよく、またはＶＭ識別子（ＩＤ）であってよい。ＶＮＦ識別は、ＶＮＦを一意に識別するために使用される。ＶＮＦ識別は、具体的にはＶＮＦ  ＩＤまたはＶＮＦ名であってよく、このことは本明細書で限定されない。ＶＭの仮想伝送リソース識別、例えばＶＮＩＣ  ＩＤ、ＶＮＩＣ名、ＶＰＯＲＴ  ＩＤまたはＶＰＯＲＴ名は、ＶＭを一意に識別するために使用され、このことは本明細書で限定されない。
【０１１４】
加えて、前述のオブジェクト識別の間のプリセットされた関連付けは、異なるオブジェクト識別の間の関連付け、例えばＶＮＦ  ＩＤとＶＭ  ＩＤとの間の対応関係、別の例ではＶＮＦ  ＩＤとＶＭ  ＩＤとホスト（ＨＯＳＴ）識別との間の対応関係、またはＶＮＦ  ＩＤとＶＮＩＣ  ＩＤとの間の対応関係を示すために使用され、このことは本明細書で列挙されない。
【０１１５】
ＨＯＳＴ識別は、ＮＦＶＩインフラストラクチャ層におけるホスト識別であり、ＮＦＶＩのＨＯＳＴを一意に識別するために使用され、具体的には、ＨＯＳＴ  ＩＤまたはＨＯＳＴ名であってよい。ＶＩＭはＮＦＶＩの管理に対して責任があり、ＮＦＶＩのインフラストラクチャ層、仮想化層、およびアプリケーション層の管理を含む。
【０１１６】
任意選択で、第１のアラームメッセージは、第１のアラーム情報セットをさらに含む。
【０１１７】
第１のアラームメッセージは、アラームメッセージまたはアラーム情報グループを含んでよく、すなわち第１のアラーム情報セットは（インフラストラクチャ層および仮想化層で生成されたアラーム情報を含む）ＮＦＶＩアラーム情報、ＶＭアラーム情報、ならびにＶＮＦＭアラーム情報のうちの少なくとも１つを含んでよい。ＶＮＦＭアラーム情報は、ＶＮＦＭによって生成された１つの相関アラーム情報であってよく、例えばＶＩＭによって報告された少なくとも２つのアラーム情報に対する相関分析を実行するＶＮＦＭによって生成されてよく、またはＶＮＦＭに対応する仮想マシンによって生成されたアラーム情報であってよい。ＮＦＶＩアラーム情報は、ＮＦＶＩによって生成されたアラーム情報であってよい。ＶＭアラーム情報は、ＶＩＭに対応するＶＭ、もしくはＶＩＭが管理する責任があるＶＭによって生成されたアラーム情報であってよく、またはＶＩＭによって生成された相関アラーム情報、例えば２つのＮＦＶＩアラーム情報に対する相関分析を実行するＶＩＭによって生成されたアラーム情報であってよい。前述の説明は、例示的なものに過ぎず、限定するものではない。
【０１１８】
さらに第１のアラーム関連付け情報は、第１のアラーム情報セット内で搬送されてよく、第１のアラーム関連付け情報は、第１のアラーム情報セットに依存していなくてよい。
【０１１９】
具体的には、第１のアラーム関連付け情報は、第１のアラーム情報セット内に含まれるアラーム情報内で搬送されてよい。例えば第１のアラーム情報セットは、少なくとも２つのＶＭアラーム情報を含み、それぞれのＶＭアラーム情報はＶＭ識別を含み、ＶＭ識別は前述の第１のアラーム関連付け情報である。別の例では、第１のアラーム情報セットは、ＶＭ識別を含む１つのアラーム情報、およびさらに下の階層のオブジェクト識別（例えばＮＦＶＩのＨＯＳＴ  ＩＤ）を含む少なくとも１つのアラーム情報を含んでよい。
【０１２０】
具体的には、第１のアラーム情報セット内の全てのアラーム情報が同じオブジェクトから来るとき、第１のアラーム関連付け情報は、前述の第１のアラームメッセージ内の第１のアラーム情報セットと並べられてよい。例えば、第１のアラーム関連付け情報がＶＭ  ＩＤである場合、第１のアラームメッセージの構造は｛ＶＭ  ＩＤ、アラーム情報１、アラーム情報２、アラーム情報３｝であってよく、ここでアラーム情報１、アラーム情報２、およびアラーム情報３は、第１のアラーム情報セットを形成する。
【０１２１】
前述の第１のアラーム情報セットは、故障の原因、例えば高いＣＰＵ使用状況またはハードウェアデバイス内の故障を示すために使用される故障モードをさらに含んでよく、詳細は再び説明されない。
【０１２２】
任意選択で、前述の第１のアラーム情報セットは、相関の関連付けを有するアラーム情報を示すために使用される相関識別をさらに含んでよい。相関識別はグループ識別であってよく、同じ相関グループ識別を有するアラーム情報は相関を有する。例えば第１のアラーム情報セット｛アラーム情報１、ｇｒｏｕｐ１；アラーム情報２、ｇｒｏｕｐ１｝において、アラーム情報１およびアラーム情報２は同じグループ識別を有し、このことはアラーム情報１および２が相関を有することを示す。あるいは相関識別は、異なるアラームの間の関係を示してよい。例えば、第１のアラーム情報セット｛アラーム情報１、０；アラーム情報２、１｝において、０は、アラーム情報１が親アラームであることを示し、１は、アラーム情報２が子アラームであることを示し、すなわちアラーム情報１および２は、親子アラームの関係を有する。明らかに第１のアラーム情報セットは、さらに｛アラーム情報１、ＶＭ１、０、ＶＭ２、１；アラーム情報２、ＶＭ１、０、ＶＭ２、１｝であってよく、ここでＶＭ１およびＶＭ２は、それぞれアラーム情報１およびアラーム情報２のオブジェクト識別であり、０は親アラームを示し、１は子アラームを示し、｛ＶＭ１、０、ＶＭ２、１｝は、アラーム情報１および２が親子アラームの関係を有することを示す。
【０１２３】
任意選択で、前述の第１のアラームメッセージは、アラームの根本原因を示すために使用される根本原因アラームをさらに含んでよい。
【０１２４】
７０２。ＶＮＦによって報告された第２のアラームメッセージを受信する。
【０１２５】
第２のアラームメッセージは、第２のアラーム関連付け情報を含み、第２のアラーム関連付け情報は、第２のオブジェクト識別、およびオブジェクト識別の間のプリセットされた関連付けのうちの少なくとも１つを含む。
【０１２６】
任意選択で、第２のアラームメッセージは、第２のアラーム情報セットをさらに含んでよく、第２のアラーム情報セットは、少なくとも１つのＶＮＦアラーム情報を含んでよい。
【０１２７】
具体的には、第２のオブジェクト識別は、第２のオブジェクトを一意に識別するために使用され、第１のオブジェクトおよび第２のオブジェクトは、同じもの、または異なるものでよい。
【０１２８】
第２のアラーム関連付け情報は、第２のアラーム情報セット内で搬送されてよく、または第２のアラーム関連付け情報は、第２のアラーム情報セットに依存していなくてよいことに留意されたい。具体的詳細に関しては、ステップ７０１における第１のアラーム関連付け情報に関連した説明を参照されたく、詳細は本明細書で再び説明されない。
【０１２９】
７０３。第１のアラームメッセージおよび第２のアラームメッセージに対する相関分析を、第１のアラーム関連付け情報および第２のアラーム関連付け情報に従って実行する。
【０１３０】
具体的には、相関分析は、第１のアラームメッセージおよび第２のアラームメッセージに対して、プリセットされた相関則に従って実行されてよい。例えば、第１のアラーム関連付け情報および第２のアラーム関連付け情報が同じものである場合、第１のアラームメッセージおよび第２のアラームメッセージは相関を有する。
【０１３１】
任意選択で、第１のアラームメッセージが第１のアラーム情報セットを含み、第２のアラームメッセージが第２のアラーム情報セットを含むとき、ステップ７０３は、以下の手法で具体的に実装されてよい。
【０１３２】
手法１。
【０１３３】
同じアラーム関連付け情報を有するアラーム情報は、第１のアラーム情報セットおよび第２のアラーム情報セットから、第１のアラーム関連付け情報および第２のアラーム関連付け情報に従って獲得され、
相関分析は、プリセットされた相関則に従って、同じアラーム関連付け情報を有する獲得されたアラーム情報に対して実行される。
【０１３４】
例えば、第１のアラーム情報セットは、アラーム情報１、アラーム情報２、アラーム情報３、およびアラーム情報４を含み、第２のアラーム情報セットは、アラーム情報５、アラーム情報６、アラーム情報７、およびアラーム情報８を含み、第１のアラーム情報セットにおいて、アラーム情報１およびアラーム情報２は同じアラーム関連付け情報「ＶＭ１」を含み、アラーム情報３およびアラーム情報４はアラーム関連付け情報「ＶＮＦ  ＩＤ１」および「ＶＮＦ  ＩＤ２」をそれぞれ含み、アラーム情報５はＶＭ１を搬送する。ＥＭＳは、管理されたオブジェクト識別「ＶＭ１」、すなわちアラーム情報１、２、および５を搬送するアラーム情報を獲得し、アラーム情報１、２、および５に対する相関分析をプリセットされた相関則に従って実行し、相関則が親子アラームであり、アラーム情報１および５が親子アラーム関係を有する場合、アラーム情報１、２、および５を、親子アラームの関係を有するアラーム情報１および５を求めて検索し、アラーム情報１および５が相関を有するアラーム情報であることを決定する。
【０１３５】
前述の手法１における第１のアラーム関連付け情報および第２のアラーム関連付け情報の両方は、オブジェクト識別の間のプリセットされた関連付けであり得ることに留意されたい。
【０１３６】
手法２。
【０１３７】
第３のアラーム情報セットは、第１のアラーム情報セットおよび第２のアラーム情報セットから、オブジェクト識別の間のプリセットされた関連付け、第１のアラーム関連付け情報内の第１のオブジェクト識別、および第２のアラーム関連付け情報内の第２のオブジェクト識別に従って獲得され、第３のアラーム情報セットはオブジェクト識別が関連付けられたアラーム情報を含み、
相関分析は、第３のアラーム情報セットに対して、プリセットされた相関則に従って実行される。
【０１３８】
オブジェクト識別が関連付けられたアラーム情報は、同じオブジェクト識別を有するアラーム情報を含んでよく、同じオブジェクト識別との関連付けを有するオブジェクト識別を含むアラーム情報を含んでよい。
【０１３９】
オブジェクト識別の間のプリセットされた関連付けは、ＥＭＳ内でプリセットされてよく、またはＥＭＳに対して通信インターフェースを使用することによって構成されてよく、このことは制限されないことに留意されたい。
【０１４０】
第１のアラーム関連付け情報内の第１のオブジェクト識別、および第２のアラーム関連付け情報内の第２のオブジェクト識別は、異なる識別タイプを有する。識別タイプは、ＶＭ識別、ＨＯＳＴ識別、およびＶＭの仮想伝送リソース識別を含んでよい。
【０１４１】
例えば、第１のアラーム情報セットは、アラーム情報１およびアラーム情報２を含み、第２のアラーム情報セットは、アラーム情報３およびアラーム情報４を含み、第１のアラーム情報セットにおいて、アラーム情報１に含まれたオブジェクト識別は、ＶＭ  ｎａｍｅ１であり、アラーム情報２内に含まれたオブジェクト識別はＨｏｓｔ  ｎａｍｅ１であり、アラーム情報３およびアラーム情報４は、オブジェクト識別「ＶＭ  ｎａｍｅ１」および「ＶＭ  ｎａｍｅ２」をそれぞれ含む。オブジェクト識別の間のプリセットされた関連付けが、Ａｐｐｌｉｃａｔｉｏｎ  ｎａｍｅ１−ＶＭ  ｎａｍｅ１−Ｈｏｓｔ  ｎａｍｅ１、すなわちサービス層におけるアプリケーション名Ａｐｐｌｉｃａｔｉｏｎ  ｎａｍｅ１と仮想化層におけるＶＭ  ｎａｍｅ１とインフラストラクチャ層におけるＨｏｓｔ  ｎａｍｅ１との間の関連付けである場合、ＥＭＳは第３のアラーム情報セット、すなわちアラーム情報１、アラーム情報２、およびアラーム情報３を獲得し、前述の３つのアラーム情報に対する相関分析をプリセットされた相関則に従って実行する。具体的詳細に関しては、手法１における説明を参照されたく、詳細は再び説明されない。
【０１４２】
オブジェクト識別の間のプリセットされた関連付けは、第１のアラームメッセージもしくは第２のアラームメッセージ内で具体的に搬送されてよく、またはＥＭＳ内にプリセットされてよく、このことは本明細書で限定されないことに留意されたい。
【０１４３】
手法３。第１のアラームメッセージが相関識別を含むとき、相関分析は、第１のアラーム情報セットおよび第２のアラーム情報セットに対して、相関識別、第１のアラーム関連付け情報、第２のアラーム関連付け情報に従って実行される。
【０１４４】
例えば、第１のアラーム情報セットが｛アラーム情報１、ｇｒｏｕｐ１；アラーム情報２、ｇｒｏｕｐ１｝であり、ここでアラーム情報１がＶＭ１を含み、アラーム情報２がＶＭ２を含み、第２のアラーム情報セットが｛アラーム情報３、アラーム情報４｝であり、ここでアラーム情報３がＶＭ１を含み、アラーム情報４がＶＭ３を含む場合、アラーム情報１、２および３は相関関係を有する。
【０１４５】
プリセットされた相関則は、時間相関則および空間相関則、例えば親子アラームおよび兄弟アラームに分類されてよいことに留意されたい。相関則は現場での起動後すぐに使用されてよく、規則を要約し、現場でテストすることに対するクライアントのオペレーションは回避され、デフォルトの相関則は、専門家によって分析され、テストによって確認されており、高い精度を有する。相関則は要件に従ってイネーブルもしくはディスエーブルされてよく、または、相関則がいくつかの副規則を含む場合、副規則のうちの１つもしくは複数は、要件に従ってイネーブルもしくはディスエーブルされてよい。
【０１４６】
本発明の本実施形態において、相関分析は、ＶＮＦアラーム情報、およびＶＮＦＭによって報告されたアラーム情報に対して実行され、相関関係を有する異なる層におけるアラーム情報が決定され、アラーム情報の間の層を横断する関連付けが実装され、それによってアラームを手動で分析する複雑性を回避し、アラームを分析する時間を低減し、ネットワークのオペレーションおよびメンテナンスのコストを低減する。
【０１４７】
任意選択で、本発明の本実施形態の実装形態のシナリオにおいて、ステップ７０３の後、前述の方法は、
ＥＭＳによって、相関関係を有するアラーム情報に対する構成された作業指示を発信するステップ
をさらに含む。
【０１４８】
任意選択で、本発明の本実施形態の別の実装形態のシナリオにおいて、ステップ７０３の後、方法は、
第１のアラーム情報セットおよび第２のアラーム情報セット内にあり、相関関係を有するアラーム情報を同じグループに分類し、グループ識別を分類されたグループに割り当てるステップ
をさらに含む。
【０１４９】
図８を参照すると、図８は、本発明の実施形態による別のアラーム情報を処理する方法を示す。方法はＶＮＦＭによって実行され、具体的には、以下のステップを含む。
【０１５０】
８０１。ＶＩＭによって報告されたＶＭアラーム情報を受信する。
【０１５１】
ＶＭアラーム情報は、第３のオブジェクトを一意に識別するために使用される第３のオブジェクト識別を含んでよく、第３のオブジェクト識別は、ＶＭ識別、ＨＯＳＴ識別、および仮想マシンの仮想伝送リソース識別のうちの少なくとも１つを含んでよい。ＶＭ識別は、ＶＭを一意に識別するために使用され、ＨＯＳＴ識別は、ＮＦＶＩのＨＯＳＴを一意に識別するために使用され、具体的にはＨＯＳＴ  ＩＤまたはＨＯＳＴ名であってよく、仮想伝送リソース識別、例えば仮想マシンのＶＰＯＲＴ  ＩＤまたはＶＰＯＲＴ名、別の例ではｖＮＩＣ  ＩＤまたはｖＮＩＣ名は、ＶＭを一意に識別するために使用される。
【０１５２】
任意選択で、ＶＭアラーム情報は、故障の原因、例えば高いＣＰＵ使用状況またはハードウェアデバイス内の故障を示すために使用される故障モードをさらに含み、このことは限定されず、または相関識別を含んでよく、相関識別はグループ識別であってよく、同じ相関グループ識別を有するアラーム情報は相関を有し、または相関識別は異なるアラームの間の関係であってよい。具体的詳細に関しては、図７のステップ７０１における関連説明を参照されたい。
【０１５３】
具体的には、ＶＭアラーム情報は、ＶＩＭが少なくとも２つのアラーム情報（例えば１つのＮＦＶＩアラーム情報および１つのＶＭアラーム情報、別の例では少なくとも２つのＮＦＶＩアラーム情報または少なくとも２つのＶＭアラーム情報）に対する相関分析を実行した後に報告されたＶＭの相関アラーム情報であってよく、ＮＦＶＩによって報告されたＮＦＶＩアラーム情報であってよく、ＶＩＭそれ自体に対応するＶＭによって生成されたＶＭアラーム情報であってよく、またはＶＩＭが管理する責任があるＶＭによって生成されたアラーム情報であってよい。
【０１５４】
８０２。第１のアラームメッセージをＶＭアラーム情報に従って生成し、第１のアラームメッセージは第１のアラーム関連付け情報を含む。
【０１５５】
任意選択で、第１のアラームメッセージは第１のアラーム情報セットをさらに含む。
【０１５６】
第１のアラーム関連付け情報および第１のアラーム情報セットの関連説明に関しては、ステップ７０１を参照されたい。
【０１５７】
８０３。第１のアラームメッセージをＥＭＳに送信し、その結果ＥＭＳは、第１のアラームメッセージおよびＶＮＦによって報告された第２のアラームメッセージに対する相関分析を実行する。
【０１５８】
具体的には、ステップ８０２において、第１のアラームメッセージをＶＭアラーム情報に従って生成するステップは、以下の２つの手法において具体的に実装されてよい。
【０１５９】
手法１。
【０１６０】
第３のオブジェクト識別に対応するＶＮＦ識別は、第３のオブジェクト識別とＶＮＦ識別との間のプリセットされた対応関係、およびＶＭアラーム情報内の第３のオブジェクト識別に従って取得され、取得されたＶＮＦ識別は、第１のオブジェクト識別として第１のアラームメッセージを生成するために使用される。
【０１６１】
例えば第１のアラームメッセージは、第１のオブジェクト識別だけを含んでよい。加えて、ＶＭアラーム情報の内容は、第１のアラーム情報セットとしてさらに使用されてよく、詳細は再び説明されない。
【０１６２】
手法２。相関分析は、ＶＭアラーム情報に対して実行され、第１のアラームメッセージを生成する。
【０１６３】
ＶＭアラーム情報内の全てのアラーム情報が、同じタイプの識別を含むとき、ＶＮＦＭは、ＶＭアラーム情報に対する相関分析を同じタイプの識別に従って実行し、同じタイプの識別を第１のアラーム関連付け情報として使用する。
【０１６４】
同じタイプの識別は、ＶＭ識別であってよく、ＨＯＳＴ識別であってよく、またはｖＮＩＣ識別であってよく、詳細は再び説明されないことに留意されたい。
【０１６５】
ＶＭアラーム情報内の少なくとも１つのアラーム情報に含まれる識別のタイプが、ＶＭアラーム情報内の他のアラーム情報に含まれる識別のタイプと異なるとき、ＶＮＦＭは、ＶＭアラーム情報に対する相関分析をプリセットされた構成関係に従って実行し、第１のアラーム関連付け情報を取得する。
【０１６６】
例えば、前述の少なくとも１つのアラーム情報に含まれる識別のタイプが、ＨＯＳＴ識別である場合、すなわち少なくとも１つのアラーム情報が、ＮＦＶＩの最下層から報告される場合、および他のアラーム情報がＶＭ識別を含む場合、すなわち他のアラーム情報が、ＮＦＶＩの仮想化層から、またはＶＭによって報告された場合、ＶＮＦＭは、ＶＭとホストとの間の構成関係を獲得し、獲得された構成関係に従ってＨＯＳＴ識別に対応するＶＭ識別を取得し、その後ＶＭアラーム情報に対する相関分析をＶＭ識別に従って実行する。明らかに、ＶＭアラーム情報内の他のアラーム情報内のＶＭ識別に対応するＨＯＳＴ識別は、構成関係に従って取得されてもよく、相関分析は、その後ＶＭアラーム情報に対してＨＯＳＴ識別に従って実行される。
【０１６７】
ＶＭアラーム情報が相関識別を含むとき、相関分析は、ＶＭアラーム情報に対して、ＶＭアラーム情報に含まれる相関識別、およびＶＭアラーム情報内で搬送される第３のオブジェクト識別に従って実行され、第１のアラームメッセージを生成する。
【０１６８】
任意選択で、第１のアラームメッセージを生成するステップの前に、方法は、相関識別を、相関を有するＶＭアラーム情報に割り当てるステップをさらに含んでよい。
【０１６９】
さらに生成された第１のアラームメッセージは、割り当てられた相関識別をさらに含んでよい。
【０１７０】
例えば、１つのＶＭアラーム情報が｛ＮＦＶＩアラーム情報１、ｇｒｏｕｐ１；ＮＦＶＩアラーム情報２、ｇｒｏｕｐ１｝であり、もう１つのＶＭアラーム情報がＮＦＶＩアラーム情報３であり、ここでＮＦＶＩアラーム情報１がＶＭ１を含み、ＮＦＶＩアラーム情報２がホスト１を含み、ＮＦＶＩアラーム情報３がＶＭ１を含む場合、ＮＦＶＩアラーム情報１、２、および３は相関を有する。
【０１７１】
ＶＭとＨＯＳＴとの間の構成関係は、仮想マシンとホストとの間の対応関係であってよい。
【０１７２】
同様に、手法２における第１のアラームメッセージ内の第１のアラーム関連付け情報は、前述の手法１において提供された方法を使用することによって獲得されてよく、詳細は再び説明されないことに留意されたい。
【０１７３】
本発明の本実施形態において、ＶＮＦＭは、第１のアラームメッセージをＥＭＳに報告し、その結果ＥＭＳは、ＶＮＦアラーム情報との相関の分析を第１のアラームメッセージに従って実行し、相関関係を有する異なる層におけるアラーム情報をさらに決定し、このことがアラーム情報の間の層を横断する関連付けを実装し、アラームを手動で分析する複雑性を回避し、アラームを分析する時間を低減し、それによってネットワークのオペレーションおよびメンテナンスのコストを低減する。
【０１７４】
図９を参照すると、図９は、本発明の実施形態による別のアラーム情報を処理する方法を示す。方法は、ＶＩＭによって実行され、具体的には以下のステップを含む。
【０１７５】
９０１。少なくとも２つのアラーム情報に対する相関分析を実行し、ＶＭアラーム情報を生成する。
【０１７６】
少なくとも２つのアラーム情報は、少なくとも１つのＮＦＶＩアラーム情報および少なくとも１つのＶＭアラーム情報を含んでよく、または少なくとも２つのアラーム情報は、全てのＮＦＶＩアラーム情報もしくは全てのＶＭアラーム情報であり、このことは限定されない。
【０１７７】
ＶＭアラーム情報は、ＶＭ相関アラーム情報であり、ＶＭ識別、ＨＯＳＴ識別、および仮想マシンの仮想伝送リソース識別のうちの少なくとも１つを含んでよい。関連説明に関しては、ステップ９０１を参照されたく、詳細は再び説明されない。
【０１７８】
具体的には、ＶＭ相関アラーム情報は、以下の３つの形式であってよい。
【０１７９】
形式１。ＶＭ相関アラーム情報は、ＶＭ識別だけを含む。
【０１８０】
形式２。ＶＭ相関アラーム情報は、ＶＭ識別およびさらに下の階層のオブジェクト識別を含み、さらに下の階層のオブジェクト識別は、ＶＭ相関アラーム情報内の関連付けられたＮＦＶＩアラーム情報内のＮＦＶＩ識別を含んでよく、ＮＦＶＩ識別は、ＶＭ識別、ＨＯＳＴ識別、および仮想マシンの仮想伝送リソース識別のうちの少なくとも１つを含んでよい。
【０１８１】
例えば、ＶＩＭは、第１のＮＦＶＩ仮想化層から報告された第１のＮＦＶＩアラーム情報、および第１のＮＦＶＩインフラストラクチャ層（例えばＮＦＶＩ  ＨＯＳＴ）から報告された第２のＮＦＶＩアラーム情報に対する相関分析を実行し、第１のＮＦＶＩアラーム情報はＶＭ  ＩＤを含み、第２のＮＦＶＩアラーム情報はＨＯＳＴ  ＩＤを含む。２つのアラーム情報が相関を有する場合、生成されたＶＭ相関アラーム情報は、ＶＭ  ＩＤおよびさらに下の階層の識別ＨＯＳＴ  ＩＤを含む。
【０１８２】
形式３。ＶＭ相関アラーム情報は、少なくとも２つのアラーム情報、および少なくとも２つのアラーム情報の相関識別を含む。
【０１８３】
相関識別はグループ識別であってよく、同じ相関グループ識別を有するアラーム情報は相関を有し、または相関識別は異なるアラームの間の関係であってよい。具体的詳細に関しては、図７のステップ７０１における関連説明を参照されたい。さらに相関識別は、ＶＭ相関アラーム情報の根本原因を示すために使用される根本原因アラーム識別をさらに含んでよい。
【０１８４】
９０２。生成されたＶＭアラーム情報をＶＮＦＭに報告する。
【０１８５】
本発明の本実施形態において、ＶＩＭは、少なくとも２つのアラーム情報に対する相関分析を実行し、このことがアラームを手動で分析する複雑性を低減し、アラームを分析するための時間を低減する。加えて、相関分析は、ＶＩＭによってアラーム情報に対して実行され、このことがＶＮＦＭにかかる負荷を大いに低減する。
【０１８６】
任意選択で、ステップ９０１の前に、前述の方法は、
ＮＦＶＩによって報告されたＮＦＶＩアラーム情報を受信するするステップであって、ＮＦＶＩアラーム情報は、ＮＦＶＩ識別を含むステップ
をさらに含んでよい。
【０１８７】
ＮＦＶＩ識別は、ＶＭ識別、ＨＯＳＴ識別、仮想マシンの仮想伝送リソース識別のうちの少なくとも１つを含んでよい。
【０１８８】
ＮＦＶＩアラーム情報は、ＮＦＶＩの仮想化層または最下層から具体的に報告されてよい。
【０１８９】
図１０を参照すると、図１０は、本発明の実施形態による別のアラーム情報を処理する方法を示す。方法は以下のステップを含む。
【０１９０】
１００１。ＮＦＶＩは、ＮＦＶＩアラーム情報をＶＩＭに報告する。
【０１９１】
ＮＦＶＩアラーム情報の関連説明に関しては、図９における実施形態を参照されたい。
【０１９２】
１００２。ＶＩＭは、ＮＦＶＩアラーム情報を受信し、ＶＭアラーム情報を、受信されたＮＦＶＩアラーム情報に従って生成する。
【０１９３】
ステップ１００２は、以下の２つの手法で具体的に実装されてよい。
【０１９４】
手法１。相関分析は、報告されたＮＦＶＩアラーム情報に対して実行され、ＶＭ相関アラーム情報を生成する。
【０１９５】
手法２。ＶＩＭは、受信されたＮＦＶＩアラーム情報をＶＮＦＭに直接報告する。
【０１９６】
ＮＦＶＩアラーム情報は、同じＮＦＶＩまたは異なるＮＦＶＩによって生成されてよく、ＶＭアラーム情報は、同じＶＩＭまたは異なるＶＩＭによって生成されてもよく、このことは本明細書で限定されない。
【０１９７】
例えば、ＮＦＶＩ内のオブジェクトが故障しているとき、ＮＦＶＩは、ＮＦＶＩアラーム情報をＶＩＭに報告する。ＮＦＶＩが故障しており、このことがＶＩＭを故障している状態にするとき、ＶＩＭは、ＮＦＶＩアラーム情報およびＶＩＭアラーム情報をＶＮＦＭに報告する。ＶＮＦＭは、ＮＦＶＩアラーム情報およびＶＩＭアラーム情報に対する相関分析を実行し、前述の第１のアラーム情報セットを生成する。
【０１９８】
別の例では、ＮＦＶＩ内の管理されたオブジェクトが故障しているとき、ＮＦＶＩは、ＮＦＶＩアラーム情報をＶＩＭに報告する。ＮＦＶＩが故障しているとき、ＶＩＭも故障しており、ＶＩＭアラーム情報を生成する。ＶＩＭは、ＮＦＶＩアラーム情報およびＶＩＭアラーム情報に対する相関分析を実行し、ＶＮＦＭに、相関分析が実行された後に取得されたＶＩＭアラーム情報を送信する。ＶＮＦＭは、少なくとも２つのＶＩＭアラーム情報に対する相関分析を実行し、前述の第１のアラーム情報セットを生成する。
【０１９９】
前述のＮＦＶＩアラーム情報および前述のＶＩＭアラーム情報の両方は、オブジェクト識別、アラーム、およびアラーム重要度などのパラメータを搬送してよく、このことは本明細書で限定されないことに留意されたい。前述のＮＦＶＩアラーム情報はＮＦＶＩ識別を含み、ＮＦＶＩ識別は、ＶＭ  ＩＤ、ホスト  ＩＤ、およびｖＮＩＣ  ＩＤのうちの少なくとも１つを含んでよい。
【０２００】
ＶＭアラーム情報の関連説明およびＶＩＭによって相関分析を実行することに関しては、図８または図９に示された実施形態を参照されたい。
【０２０１】
１００３。ＶＮＦＭは、ＶＩＭによって報告されたＶＭアラーム情報に対する相関分析を実行し、第１のアラームメッセージを生成する。
【０２０２】
ＶＭアラーム情報は、ＮＦＶＩアラーム情報およびＶＭアラーム情報のうちの少なくとも２つを含んでよい。
【０２０３】
第１のアラームメッセージは、第１のアラーム関連付け情報を含んでよく、第１のアラーム情報セットをさらに含んでよい。具体的な説明に関しては、図７または図８の実施形態における関連説明を参照されたく、詳細は本明細書で再び説明されない。
【０２０４】
具体的には、第１のアラーム情報セットは、ＶＮＦＭが、少なくとも１つのＮＦＶＩアラーム情報および少なくとも１つのＶＩＭアラーム情報に対する相関分析を実行した後に生成されてよく、またはＶＮＦＭが、少なくとも２つのＶＩＭアラーム情報に対する相関分析を実行した後に生成されてよい。
【０２０５】
具体的には、第１のアラーム関連付け情報は、第１のオブジェクト識別、およびオブジェクト識別の間のプリセットされた関連付けのうちの少なくとも１つを含む。第１のオブジェクト識別は、オブジェクトを一意に識別するために使用され、ＶＮＦ識別またはＶＭ識別であってよく、例えばＶＮＦ  ＩＤ、ＶＭ  ＩＤ、もしくはｖＮＩＣ  ＩＤであってよく、またはＶＮＦ名、ＶＭ名、もしくはｖＮＩＣ名であってよい。オブジェクト識別の間のプリセットされた関連付けは、異なるオブジェクト識別の間の関連付け、例えばＶＮＦ  ＩＤとＶＭ  ＩＤとの間の対応関係、別の例ではＶＮＦ  ＩＤとＶＭ  ＩＤとＨＯＳＴ  ＩＤとの間の対応関係を示すために使用されてよく、このことは本明細書で再び列挙されない。
【０２０６】
具体的には、ステップ１００３において、ＶＮＦＭは、少なくとも１つのＮＦＶＩアラーム情報および少なくとも１つのＶＩＭアラーム情報に対する相関分析を相関則に従って実行し、相関を有するアラーム情報を決定し、相関を有するアラーム情報をグループ化してよく、その結果ＶＮＦＭは、少なくとも１つのＮＦＶＩアラーム情報または少なくとも１つのＶＩＭアラーム情報を遮蔽し、アラーム情報の量を低減してよい。前述の処理の後、第１のアラーム情報セットが生成され、ＶＮＦＭは、第１のアラーム情報セットをＥＭＳに報告し、第１のアラーム情報セットは、フォールトの木の形式で表されてよい。
【０２０７】
１００４。ＶＮＦＭは、第１のアラームメッセージをＥＭＳに送信する。
【０２０８】
１００５。ＥＭＳは、ＶＮＦＭによって報告された第１のアラームメッセージを受信する。
【０２０９】
１００６。ＶＮＦは、第２のアラームメッセージを報告する。
【０２１０】
第２のアラームメッセージは、第２のアラーム関連付け情報を含んでよく、第２のアラーム情報セットをさらに含んでよい。具体的詳細に関しては、図７に示された実施形態における関連説明を参照されたい。
【０２１１】
具体的には、第２のアラーム関連付け情報は、ＥＭＳによって第２のアラーム情報セットに対する相関分析を実行するために使用されてよく、第２のアラーム関連付け情報は、第２のオブジェクト識別、およびオブジェクト識別の間のプリセットされた関連付けのうちの少なくとも１つを含む。第２のオブジェクト識別は、管理されたオブジェクトを一意に識別するために使用され、ＶＮＦ識別、ＶＭ識別、またはｖＮＩＣ識別であってよく、例えばＶＮＦ  ＩＤもしくはＶＭ  ＩＤであってよく、またはＶＮＦ名もしくはＶＭ名であってよい。オブジェクト識別の間のプリセットされた関連付けは、管理されたオブジェクト識別の間の関連付け、例えばＶＮＦ  ＩＤとＶＭ  ＩＤとの間の対応関係、別の例ではＶＮＦ  ＩＤとＶＭ  ＩＤとＨＯＳＴ  ＩＤとの間の対応関係を示すために使用されてよく、本明細書で再び列挙されない。
【０２１２】
任意選択で、第２のアラーム関連付け情報は、第２のアラーム情報セット内で搬送されてよい。例えば、第２のアラーム情報セット内に含まれるアラーム情報は、第２のアラーム関連付け情報を搬送する。あるいは、第２のアラーム関連付け情報は、第２のアラーム情報セットに依存していなくてよい。例えば、第２のアラーム情報セット内の全てのアラーム情報が、同じ管理されたオブジェクトから来るとき、第２のアラーム関連付け情報は、前述の第１のアラームメッセージ内の第２のアラーム情報セットと並べられてよく、このことは本明細書で限定されない。
【０２１３】
第２のアラーム情報セットは、少なくとも１つのＶＮＦアラーム情報を含んでよく、少なくとも１つのＶＮＦアラーム情報は、同じＶＮＦまたは異なるＶＮＦによって生成されてよい。
【０２１４】
具体的には、ＶＮＦがＶＮＦ内に故障を検出したとき、少なくとも１つのアラーム情報が生成され、第２のアラーム情報セットは、少なくとも１つのアラーム情報を含み、ＶＮＦは、第２のアラーム情報セットをＥＭＳに報告する。
【０２１５】
アラームを報告する前に、ＶＮＦは、アラームを生成するＶＮＦのＶＮＦ識別、およびＶＮＦ識別とＶＭ識別との間の対応関係、またはＶＮＦ識別とｖＮＩＣ識別との間の対応関係に従って、ＶＭ識別またはＶＮＦ識別に対応するｖＮＩＣの識別を取得してよいことに留意されたい。
【０２１６】
１００７。ＥＭＳは、ＶＮＦによって報告された第２のアラームメッセージを受信する。
【０２１７】
ステップ１００６からステップ１００７は、ステップ１００１からステップ１００５の後に必ずしも実行されなくてよく、このことは限定されないことに留意されたい。
【０２１８】
１００８。ＥＭＳは、第１のアラームメッセージおよび第２のアラームメッセージに対する相関分析を、第１のアラーム関連付け情報および第２のアラーム関連付け情報に従って実行する。
【０２１９】
ステップ１００８は、図７に示された実施形態におけるステップ７０３の具体的な実装形態の手法で実装されてよく、詳細は再び説明されない。
【０２２０】
具体的には、第１のアラーム情報セット内のアラーム情報は、インフラストラクチャ層および仮想化層で生成されたアラーム情報を含んでよく、第２のアラーム情報セット内のアラーム情報は、サービス層におけるアラーム情報を含んでよく、ＥＭＳは、第１のアラーム情報セット内のアラーム情報および第２のアラーム情報セット内のアラーム情報に対する相関分析を、プリセットされた相関則に従って実行してよく、相関関係を有するアラーム情報に関する集積を実行し、このことが手動分析の処理を回避し、アラームを分析する時間を大いに低減し、作業効率を改善する。
【０２２１】
プリセットされた相関則は、時間相関則および空間相関則、例えば親子アラームおよび兄弟アラームに具体的に分類されてよい。ＥＭＳは、相関則に従って、関連付けを有するアラーム情報に対する前述の２つのアラームセットを検索し、例えば、根本的なアラーム情報および派生的なアラーム情報を決定する。
【０２２２】
本実施形態において提供された方法を使用することによって、ＥＭＳは、第１のアラーム情報セット内のアラーム情報および第２のアラーム情報セット内のアラーム情報に対する相関分析を実行し、このことが層を横断するアラーム情報の分析および集積を実装し、手動分析の処理を回避し、アラームを分析する時間を大いに低減し、作業効率を改善する。
【０２２３】
任意選択で、ＥＭＳが、ＶＮＦＭによって報告された第１のアラームメッセージを受信する前に、方法は、
ＶＮＦＭによって、オブジェクト識別の間の、ＶＮＦに対する関連付けを構成するステップ
をさらに含む。
【０２２４】
具体的には、ＶＮＦＭは、オブジェクト識別の間の、ＶＮＦに対する関連付けを構成し、ＶＮＦによってＥＭＳに報告された第２のアラーム情報セット内のアラーム情報は、オブジェクト識別の間の関連付けを搬送する。その上、第２のアラーム情報セット内のアラーム情報は、故障しているオブジェクトのオブジェクト識別をさらに搬送し、第１のアラーム情報セット内のアラーム情報はまた、故障しているオブジェクトのオブジェクト識別を搬送する。ＥＭＳは、第１のアラーム情報セットおよび第２のアラーム情報セットにおいて、第２のアラーム情報セット内のアラーム情報内で搬送されたオブジェクト識別の間の関連付けに従って、相関関係を有するアラーム情報を問い合わせてよい。第１のアラーム情報セット内のアラーム情報内で搬送されたオブジェクト識別は、例えばＶＭ  ＩＤまたはｖＮＩＣ  ＩＤを含み、第２のアラーム情報セット内のアラーム情報内で搬送されたオブジェクト識別の間の関連付けは、ＶＮＦ  ＩＤ−ＶＭ  ＩＤ−ｖＮＩＣ  ＩＤであり、オブジェクト識別の間の関連付けは、サービス層、仮想化層、およびインフラストラクチャ層にあり、対応関係を有するオブジェクト識別の間の関連付けを示す。
【０２２５】
前述の実施形態において、異なるオブジェクトは、インフラストラクチャ層、仮想化層、およびサービス層に分散され、サービス層は最上層として機能し、仮想化層は中間層として機能し、インフラストラクチャ層は最下層として機能することに留意されたい。１つの層におけるオブジェクトは、別の層におけるそれとの具体的な対応関係を有する。インフラストラクチャ層におけるオブジェクトが故障しているとき、仮想化層およびサービス層における対応するオブジェクトは故障している。全ての層におけるオブジェクトが故障しているとき、同じ仮想装置の異なる層におけるアラーム情報は、オブジェクト識別または、アラーム情報内のオブジェクト識別の間の関連付けを搬送することによって取得されてよく、これは、同じ仮想装置の全ての層におけるアラーム情報が同じ故障によって引き起こされているかどうかをさらに確かめるために、すなわちアラーム情報の間の相関を確かめるために行われてよい。
【０２２６】
図１１を参照すると、図１１は、本発明の実施形態によるアラーム情報を処理する装置を示す。装置はＥＭＳであってよい。装置は、図７または図１０においてＥＭＳの動作するステップを実行するように構成されてよい。装置は、具体的には、第１の受信ユニット１１０１、第２の受信ユニット１１０２、および処理ユニット１１０３を含んでよい。
【０２２７】
第１の受信ユニット１１０１は、ＶＮＦＭによって報告された第１のアラームメッセージを受信するように構成され、第１のアラームメッセージは、第１のアラーム関連付け情報を含み、第１のアラーム関連付け情報は、第１のオブジェクト識別、およびオブジェクト識別の間のプリセットされた関連付けのうちの少なくとも１つを含む。
【０２２８】
第２の受信ユニット１１０２は、ＶＮＦによって報告された第２のアラームメッセージを受信するように構成され、第２のアラームメッセージは、第２のアラーム関連付け情報を含み、第２のアラーム関連付け情報は、第２のオブジェクト識別、およびオブジェクト識別の間のプリセットされた関連付けのうちの少なくとも１つを含む。
【０２２９】
処理ユニット１１０３は、第１のアラーム関連付け情報および第２のアラーム関連付け情報に従って、第１の受信ユニット１１０１によって受信された第１のアラームメッセージおよび第２の受信ユニット１１０２によって受信された第２のアラームメッセージに対する相関分析を実行するように構成される。
【０２３０】
任意選択で、第１のオブジェクト識別は、ＶＮＦ識別、仮想マシンＶＭ識別、およびＶＭの仮想伝送リソース識別のうちの少なくとも１つを含む。
【０２３１】
任意選択で、第２のオブジェクト識別は、ＶＮＦ識別、ＶＭ識別、およびＶＭの仮想伝送リソース識別のうちの少なくとも１つを含む。
【０２３２】
オブジェクト識別の間のプリセットされた関連付けは、異なるオブジェクト識別の間の関連付けを示すために使用され、ＶＮＦ識別は、ＶＮＦ識別子ＩＤまたはＶＮＦ名を含み、ＶＭ識別は、ＶＭ  ＩＤまたはＶＭ名を含み、仮想伝送リソース識別は、仮想伝送リソースＩＤまたは仮想伝送リソース名を含む。
【０２３３】
任意選択で、第１のアラームメッセージは、第１のアラーム情報セットをさらに含み、第１のアラーム情報セットは、ＮＦＶＩアラーム情報、ＶＭアラーム情報、およびＶＮＦＭアラーム情報のうちの少なくとも１つを含む。
【０２３４】
ＮＦＶＩアラーム情報、ＶＭアラーム情報、およびＶＮＦＭアラーム情報に関しては、図７から図１０の方法の実施形態における関連説明を参照されたく、詳細は再び説明されない。
【０２３５】
任意選択で、第２のアラームメッセージは、第２のアラーム情報セットをさらに含み、第２のアラーム情報セットは、少なくとも１つのＶＮＦアラーム情報を含む。
【０２３６】
ＶＮＦアラーム情報の関連説明に関しては、図７または図１０に示された実施形態を参照されたい。
【０２３７】
任意選択で、第１のアラームメッセージが第１のアラーム情報セットを含み、第２のアラーム情報が第２のアラーム情報セットを含むとき、処理ユニット１１０３は、
第１のアラーム情報セットおよび第２のアラーム情報セットから、第１のアラーム関連付け情報および第２のアラーム関連付け情報に従って、同じアラーム関連付け情報を有するアラーム情報を獲得し、プリセットされた相関則に従って、同じアラーム関連付け情報を有する獲得されたアラーム情報に対する相関分析を実行すること、または、
第３のアラーム情報セットを、第１のアラーム情報セットおよび第２のアラーム情報セットから、オブジェクト識別の間のプリセットされた関連付け、第１のオブジェクト識別、および第２のオブジェクト識別に従って獲得し、第３のアラーム情報セットは、オブジェクト識別が関連付けられたアラーム情報を含み、さらに第３のアラーム情報セットに対する相関分析をプリセットされた相関則に従って実行すること
を行うように具体的に構成される。
【０２３８】
前述のプリセットされた相関則、オブジェクト識別が関連付けられたアラーム情報、およびオブジェクト識別の間のプリセットされた関連付けの関連説明に関しては、図７に示された実施形態におけるステップ７０３を参照されたく、詳細は本明細書で再び説明されないことに留意されたい。
【０２３９】
本発明の本実施形態において提供されたＥＭＳを使用することによって、相関分析は、ＶＮＦアラーム情報およびＶＮＦＭによって報告されたアラーム情報に対して実行され、相関関係を有する異なる層におけるアラーム情報は決定され、このことがアラーム情報の間の層を横断する関連付けを実装し、アラームを手動で分析する複雑性を回避し、アラームを分析する時間を低減し、それによってネットワークのオペレーションおよびメンテナンスのコストを低減する。
【０２４０】
図１２を参照すると、図１２は、本発明の実施形態によるアラーム情報を処理する装置を示す。装置はＶＮＦＭであってよい。装置は、図８または図１０に示された実施形態におけるＶＮＦＭによって実行される方法を実行するように具体的に構成されてよい。装置は、具体的には、
仮想化されたインフラストラクチャマネージャＶＩＭによって報告された仮想マシンＶＭアラーム情報を受信するように構成された受信ユニット１２０１であって、ＶＭアラーム情報は、第３のオブジェクト識別を含む、受信ユニット１２０１と、
第１のアラームメッセージを、受信ユニット１２０１によって受信されたＶＭアラーム情報に従って生成するように構成された処理ユニット１２０２であって、第１のアラームメッセージは、第１のアラーム関連付け情報を含み、第１のアラーム関連付け情報は、第１のオブジェクト識別、およびオブジェクト識別の間のプリセットされた関連付けのうちの少なくとも１つを含む、処理ユニット１２０２と、
処理ユニット１２０２によって生成された第１のアラームメッセージを要素管理システムＥＭＳに送信するように構成され、その結果ＥＭＳは、第１のアラームメッセージおよびＶＮＦによって報告された第２のアラームメッセージに対する相関分析を実行する、送信ユニット１２０３と
を含む。
【０２４１】
第３のオブジェクト識別は、ＶＭ識別、ＮＦＶＩインフラストラクチャ層におけるホストＨＯＳＴ識別、およびＶＭの仮想伝送リソース識別のうちの少なくとも１つを含んでよい。
【０２４２】
ＶＭ識別は、ＶＭ識別子ＩＤまたはＶＭ名を含んでよく、ＨＯＳＴ識別は、ＨＯＳＴ  ＩＤまたはＨＯＳＴ名を含んでよく、ＶＭの仮想伝送リソース識別は、仮想伝送リソースＩＤまたは仮想伝送リソース名を含んでよい。
【０２４３】
具体的には、ＶＭの仮想伝送リソース識別、例えばＶＰＯＲＴ  ＩＤまたはＶＰＯＲＴ名、別の例ではｖＮＩＣ  ＩＤまたはｖＮＩＣ名は、ＶＭを一意に識別するために使用される。
【０２４４】
第１のオブジェクト識別は、第１のオブジェクトを一意に識別するために使用されてよく、第１のオブジェクト識別は、ＶＮＦ識別、ＶＭ識別、およびＶＭの仮想伝送リソース識別のうちの少なくとも１つを含んでよい。
【０２４５】
オブジェクト識別の間のプリセットされた関連付けは、異なるオブジェクト識別の間の関連付けを示すために使用されてもよい。
【０２４６】
任意選択で、第１のアラームメッセージは、第１のアラーム情報セットをさらに含み、第１のアラーム情報セットは、ＮＦＶＩアラーム情報、ＶＭアラーム情報、およびＶＮＦＭアラーム情報のうちの少なくとも１つを含む。
【０２４７】
前述のアラーム情報全ての関連説明に関しては、図７または図８に示された実施形態を参照されたく、詳細は再び説明されない。
【０２４８】
任意選択で、処理ユニット１２０２は、
第３のオブジェクト識別とＶＮＦ識別との間のプリセットされた対応関係、およびＶＭアラーム情報内の第３のオブジェクト識別に従って、第３のオブジェクト識別に対応するＶＮＦ識別を取得し、取得されたＶＮＦ識別を第１のオブジェクト識別として使用して、第１のアラームメッセージを生成すること、または、
ＶＭアラーム情報に対する相関分析を実行し、第１のアラームメッセージを生成すること
を行うように具体的に構成される。
【０２４９】
具体的詳細に関しては、図に示された実施形態におけるステップ８０３の２つの実装形態の手法を参照されたく、詳細は再び説明されない。
【０２５０】
本発明の本実施形態において提供されたＶＮＦＭを使用することによって、第１のアラームメッセージはＥＭＳに報告され、その結果ＥＭＳは、ＶＮＦアラーム情報との相関の分析を第１のアラームメッセージに従って実行し、相関関係を有する異なる層におけるアラーム情報をさらに決定し、このことがアラーム情報の間の層を横断する関連付けを実装し、アラームを手動で分析する複雑性を回避し、アラームを分析する時間を低減し、それによってネットワークのオペレーションおよびメンテナンスのコストを低減する。
【０２５１】
図１３を参照すると、図１３は、本発明の実施形態によるアラーム情報を処理する装置を示す。装置はＶＩＭである。装置は、図９または図１０に示された実施形態におけるＶＩＭの動作するステップを実行するように構成されてよく、具体的には、処理ユニット１３０１および送信ユニット１３０２を含んでよい。
【０２５２】
処理ユニット１３０１は、少なくとも２つのアラーム情報に対する相関分析を実行し、仮想マシンＶＭアラーム情報を生成するように構成される。
【０２５３】
送信ユニット１３０２は、処理ユニット１３０１によって生成されたＶＭアラーム情報を仮想化されたネットワーク機能マネージャＶＮＦＭに報告するように構成され、その結果ＶＮＦＭは、ＶＭアラーム情報に従って、第１のアラームメッセージを要素管理システムＥＭＳに報告し、ＥＭＳは、第１のアラームメッセージおよびＶＮＦによって報告された第２のアラームメッセージに対する相関分析を実行する。
【０２５４】
少なくとも２つのアラーム情報は、
少なくとも１つのネットワーク機能仮想化インフラストラクチャＮＦＶＩアラーム情報および少なくとも１つのＶＭアラーム情報、または、
少なくとも２つのＮＦＶＩアラーム情報、または、
少なくとも２つのＶＭアラーム情報
を含んでよい。
【０２５５】
任意選択で、前述の装置は
ＮＦＶＩによって報告されたＮＦＶＩアラーム情報を受信するように構成された受信ユニット１３０３であって、ＮＦＶＩアラーム情報は、ＮＦＶＩ識別を含む、受信ユニット１３０３と、
受信ユニット１３０３によって受信されたＮＦＶＩアラーム情報に対する相関分析を実行し、ＶＭアラーム情報を生成するように構成された処理ユニット１３０１と
をさらに含み、
ＮＦＶＩ識別は、ＶＭ識別、ホストＨＯＳＴ識別、および仮想マシンの仮想伝送リソース識別のうちの少なくとも１つを含み、ＶＭ識別はＶＭ識別子ＩＤまたはＶＭ名を含み、ＨＯＳＴ識別はＨＯＳＴ  ＩＤまたはＨＯＳＴ名を含み、ＶＭの仮想伝送リソース識別は仮想伝送リソースＩＤまたは仮想伝送リソース名を含む。
【０２５６】
本発明の本実施形態において提供されたＶＩＭを使用することによって、相関分析は、少なくとも２つのアラーム情報に対して実行され、このことがアラームを手動で分析する複雑性を低減し、アラームを分析するための時間を低減する。加えて、相関分析は、ＶＩＭによってアラーム情報に対して実行され、このことがＶＮＦＭにかかる負荷を大いに低減する。
【０２５７】
本発明の実施形態は、アラーム情報を処理するシステムを提供し、これは、図１１から図１３に示されたアラーム情報を処理する装置のうちの少なくとも１つを含む。
【０２５８】
図１４を参照すると、本発明の実施形態は、別のアラーム情報を処理する装置をさらに提供する。装置はＥＭＳであり、プロセッサ１４０１、第１の通信インターフェース１４０２、および第２の通信インターフェース１４０３を含む。
【０２５９】
第１の通信インターフェース１４０２は、ＶＮＦＭによって報告された第１のアラームメッセージを受信するように構成され、第１のアラームメッセージは、第１のアラーム関連付け情報を含み、第１のアラーム関連付け情報は、第１のオブジェクト識別、およびオブジェクト識別の間のプリセットされた関連付けのうちの少なくとも１つを含む。
【０２６０】
第２の通信インターフェース１４０３は、ＶＮＦによって報告された第２のアラームメッセージを受信するように構成され、第２のアラームメッセージは、第２のアラーム関連付け情報を含み、第２のアラーム関連付け情報は、第２のオブジェクト識別、およびオブジェクト識別の間のプリセットされた関連付けのうちの少なくとも１つを含む。
【０２６１】
プロセッサ１４０１は、第１のアラーム関連付け情報および第２のアラーム関連付け情報に従って、第１の通信インターフェース１４０２によって受信された第１のアラームメッセージおよび第２の通信インターフェース１４０３によって受信された第２のアラームメッセージに対する相関分析を実行するように構成される。
【０２６２】
任意選択で、第１のオブジェクト識別は、ＶＮＦ識別、仮想マシンＶＭ識別、およびＶＭの仮想伝送リソース識別のうちの少なくとも１つを含む。
【０２６３】
任意選択で、第２のオブジェクト識別は、ＶＮＦ識別、ＶＭ識別、およびＶＭの仮想伝送リソース識別のうちの少なくとも１つを含む。
【０２６４】
オブジェクト識別の間のプリセットされた関連付けは、異なるオブジェクト識別の間の関連付けを示すために使用され、ここでＶＮＦ識別はＶＮＦ識別子ＩＤまたはＶＮＦ名を含み、ＶＭ識別はＶＭ  ＩＤまたはＶＭ名を含み、仮想伝送リソース識別は仮想伝送リソースＩＤまたは仮想伝送リソース名を含む。
【０２６５】
任意選択で、第１のアラームメッセージは、第１のアラーム情報セットをさらに含み、第１のアラーム情報セットは、ＮＦＶＩアラーム情報、ＶＭアラーム情報、およびＶＮＦＭアラーム情報のうちの少なくとも１つを含む。
【０２６６】
ＮＦＶＩアラーム情報、ＶＭアラーム情報、およびＶＮＦＭアラーム情報に関しては、図７から図１０の方法の実施形態における関連説明を参照されたく、詳細は再び説明されない。
【０２６７】
任意選択で、第２のアラームメッセージは、第２のアラーム情報セットをさらに含み、第２のアラーム情報セットは、少なくとも１つのＶＮＦアラーム情報を含む。
【０２６８】
ＶＮＦアラーム情報の関連説明に関しては、図７または図１０に示された実施形態を参照されたい。
【０２６９】
任意選択で、第１のアラームメッセージが第１のアラーム情報セットを含み、第２のアラーム情報が第２のアラーム情報セットを含むとき、プロセッサ１４０１は、
第１のアラーム情報セットおよび第２のアラーム情報セットから、第１のアラーム関連付け情報および第２のアラーム関連付け情報に従って、同じアラーム関連付け情報を有するアラーム情報を獲得し、プリセットされた相関則に従って、同じアラーム関連付け情報を有する獲得されたアラーム情報に対する相関分析を実行すること、または、
第３のアラーム情報セットを、第１のアラーム情報セットおよび第２のアラーム情報セットから、オブジェクト識別の間のプリセットされた関連付け、第１のオブジェクト識別、および第２のオブジェクト識別に従って獲得し、第３のアラーム情報セットは、オブジェクト識別が関連付けられたアラーム情報を含み、さらに第３のアラーム情報セットに対する相関分析をプリセットされた相関則に従って実行すること
を行うように具体的に構成される。
【０２７０】
前述のプリセットされた相関則、オブジェクト識別が関連付けられたアラーム情報、およびオブジェクト識別の間のプリセットされた関連付けの関連説明に関しては、図７に示された実施形態におけるステップ７０３を参照されたく、詳細は本明細書で再び説明されないことに留意されたい。
【０２７１】
図１５を参照すると、図１５は、本発明の実施形態によるアラーム情報を処理する装置を示す。装置はＶＮＦＭであってよい。装置は、図８または図１０に示された実施形態におけるＶＮＦＭによって実行された方法を実行するように具体的に構成されてよい。装置は、具体的には、
仮想化されたインフラストラクチャマネージャＶＩＭによって報告された仮想マシンＶＭアラーム情報を受信するように構成された第１の通信インターフェース１５０１であって、ＶＭアラーム情報は、第３のオブジェクト識別を含む第１の通信インターフェース１５０１と、
第１のアラームメッセージを、第１の通信インターフェース１５０１によって受信されたＶＭアラーム情報に従って生成するように構成されたプロセッサ１５０２であって、第１のアラームメッセージは、第１のアラーム関連付け情報を含み、第１のアラーム関連付け情報は、第１のオブジェクト識別、およびオブジェクト識別の間のプリセットされた関連付けのうちの少なくとも１つを含むプロセッサ１５０２と、
プロセッサ１５０２によって生成された第１のアラームメッセージを、要素管理システムＥＭＳに送信するように構成され、その結果ＥＭＳは、第１のアラームメッセージおよびＶＮＦによって報告された第２のアラームメッセージに対する相関分析を実行する、第２の通信インターフェース１５０３と
を含んでよい。
【０２７２】
第３のオブジェクト識別は、ＶＭ識別、ＮＦＶＩインフラストラクチャ層におけるホストＨＯＳＴ識別、およびＶＭの仮想伝送リソース識別のうちの少なくとも１つを含んでよい。
【０２７３】
ＶＭ識別は、ＶＭ識別子ＩＤまたはＶＭ名を含んでよく、ＨＯＳＴ識別は、ＨＯＳＴ  ＩＤまたはＨＯＳＴ名を含んでよく、ＶＭの仮想伝送リソース識別は、仮想伝送リソースＩＤまたは仮想伝送リソース名を含んでよい。
【０２７４】
具体的には、ＶＭの仮想伝送リソース識別、例えばＶＰＯＲＴ  ＩＤまたはＶＰＯＲＴ名、別の例ではｖＮＩＣ  ＩＤまたはｖＮＩＣ名は、ＶＭを一意に識別するために使用される。
【０２７５】
第１のオブジェクト識別は、第１のオブジェクトを一意に識別するために使用されてよく、第１のオブジェクト識別は、ＶＮＦ識別、ＶＭ識別、およびＶＭの仮想伝送リソース識別のうちの少なくとも１つを含んでよい。
【０２７６】
オブジェクト識別の間のプリセットされた関連付けは、異なるオブジェクト識別の間の関連付けを示すために使用されてよい。
【０２７７】
任意選択で、第１のアラームメッセージは、第１のアラーム情報セットをさらに含み、第１のアラーム情報セットは、ＮＦＶＩアラーム情報、ＶＭアラーム情報、およびＶＮＦＭアラーム情報のうちの少なくとも１つを含む。
【０２７８】
前述のアラーム情報全ての関連説明に関しては、図７または図８に示された実施形態を参照されたく、詳細は再び説明されない。
【０２７９】
任意選択で、プロセッサ１５０２は、
第３のオブジェクト識別とＶＮＦ識別との間のプリセットされた対応関係、およびＶＭアラーム情報内の第３のオブジェクト識別に従って、第３のオブジェクト識別に対応するＶＮＦ識別を取得し、取得されたＶＮＦ識別を第１のオブジェクト識別として使用して、第１のアラームメッセージを生成すること、または、
ＶＭアラーム情報に対する相関分析を実行し、第１のアラームメッセージを生成すること
を行うように具体的に構成される。
【０２８０】
具体的詳細に関しては、図に示された実施形態におけるステップ８０３の２つの実装形態の手法を参照されたく、詳細は再び説明されない。
【０２８１】
本発明の本実施形態において提供されたＶＮＦＭを使用することによって、第１のアラームメッセージはＥＭＳに報告され、その結果ＥＭＳは、ＶＮＦアラーム情報との相関の分析を第１のアラームメッセージに従って実行し、相関関係を有する異なる層におけるアラーム情報をさらに決定し、このことがアラーム情報の間の層を横断する関連付けを実装し、アラームを手動で分析する複雑性を回避し、アラームを分析する時間を低減し、それによってネットワークのオペレーションおよびメンテナンスのコストを低減する。
【０２８２】
図１６を参照すると、図１６は、本発明の実施形態によるアラーム情報を処理する装置を示す。装置はＶＩＭである。装置は、図９または図１０に示された実施形態におけるＶＩＭの動作するステップを実行するように構成されてよく、具体的には、プロセッサ１６０１および第１の通信インターフェース１６０２を含んでよい。
【０２８３】
プロセッサ１６０１は、少なくとも２つのアラーム情報に対する相関分析を実行し、仮想マシンＶＭアラーム情報を生成するように構成される。
【０２８４】
第１の通信インターフェース１６０２は、プロセッサ１６０１によって生成されたＶＭアラーム情報を仮想化されたネットワーク機能マネージャＶＮＦＭに報告するように構成され、その結果ＶＮＦＭは、ＶＭアラーム情報に従って、第１のアラームメッセージを要素管理システムＥＭＳに報告し、ＥＭＳは、第１のアラームメッセージおよびＶＮＦによって報告された第２のアラームメッセージに対する相関分析を実行する。
【０２８５】
少なくとも２つのアラーム情報は、
少なくとも１つのネットワーク機能仮想化インフラストラクチャＮＦＶＩアラーム情報および少なくとも１つのＶＭアラーム情報、または、
少なくとも２つのＮＦＶＩアラーム情報、または、
少なくとも２つのＶＭアラーム情報
を含んでよい。
【０２８６】
任意選択で、前述の装置は
ＮＦＶＩによって報告されたＮＦＶＩアラーム情報を受信するように構成された第２の通信インターフェース１６０３であって、ＮＦＶＩアラーム情報はＮＦＶＩ識別を含む第２の通信インターフェース１６０３と、
第２の通信インターフェース１６０３によって受信されたＮＦＶＩアラーム情報に対する相関分析を実行し、ＶＭアラーム情報を生成するように構成されたプロセッサ１６０１と
をさらに含み、
ＮＦＶＩ識別は、ＶＭ識別、ホストＨＯＳＴ識別、および仮想マシンの仮想伝送リソース識別のうちの少なくとも１つを含み、ＶＭ識別はＶＭ識別子ＩＤまたはＶＭ名を含み、ＨＯＳＴ識別はＨＯＳＴ  ＩＤまたはＨＯＳＴ名を含み、ＶＭの仮想伝送リソース識別は仮想伝送リソースＩＤまたは仮想伝送リソース名を含む。
【０２８７】
本発明の本実施形態において提供されたＶＩＭを使用することによって、相関分析は、少なくとも２つのアラーム情報に対して実行され、このことがアラームを手動で分析する複雑性を低減し、アラームを分析するための時間を低減する。加えて、相関分析は、ＶＩＭによってアラーム情報に対して実行され、このことがＶＮＦＭにかかる負荷を大いに低減する。
【０２８８】
本発明の本実施形態および方法の実施形態１は、同じ概念に基づいており、本発明の本実施形態および方法の実施形態によってもたらされる技術的な効果も同じである。具体的な原理に関しては、方法の実施形態の説明を参照されたく、詳細は本明細書で再び説明されない。
【０２８９】
当業者は、本実施形態における方法の処理のうちの全てまたはいくつかが、関係するハードウェアに命令するコンピュータプログラムによって、実装されてよいことを理解し得る。プログラムは、コンピュータ可読ストレージ媒体の中に記憶されてよい。プログラムが走るとき、本実施形態における方法の処理は実行される。ストレージ媒体は、磁気ディスク、光ディスク、読み取り専用メモリ（Ｒｅａｄ−Ｏｎｌｙ  Ｍｅｍｏｒｙ、ＲＯＭ）、またはランダムアクセスメモリ（Ｒａｎｄｏｍ  Ａｃｃｅｓｓ  Ｍｅｍｏｒｙ、ＲＡＭ）を含んでよい。
【０２９０】
上記で開示されたことは、本発明の例示的な実施形態に過ぎず、確実に、本発明の保護範囲を限定することを意図するものではない。当業者は、前述の実施形態、および本発明の特許請求の範囲に従ってなされる同等の変更形態を実装する処理のうちの全てまたはいくつかが、本発明の範囲内に入ることを理解し得る。
【図１】
0006742327.tif 000002
【図２】
0006742327.tif 000003
【図３】
0006742327.tif 000004
【図４】
0006742327.tif 000005
【図５】
0006742327.tif 000006
【図６】
0006742327.tif 000007
【図７】
0006742327.tif 000008
【図８】
0006742327.tif 000009
【図９】
0006742327.tif 000010
【図１０】
0006742327.tif 000011
【図１１】
0006742327.tif 000012
【図１２】
0006742327.tif 000013
【図１３】
0006742327.tif 000014
【図１４】
0006742327.tif 000015
【図１５】
0006742327.tif 000016
【図１６】
0006742327.tif 000017